(57)【要約】街灯管理方法であって、指定された周期毎に、少なくとも１つの街灯であるノードの情報、前記ノード及び前記サーバと通信するゲートウェイの情報、及び前記ノードと前記ゲートウェイとの間の通信チャンネルの情報の少なくとも１つの情報をサーバから受信してアップデートする動作と、前記ノードの情報に含まれた位置情報を用いて、前記ノードを画面に表示されたデジタルマップの対応する位置に表示し、前記ゲートウェイの情報に含まれた位置情報を用いて、前記ゲートウェイを前記デジタルマップの対応する位置に表示する動作と、前記受信された情報またはユーザの操作によって、前記画面の情報表示ウインドウの少なくとも１つのウインドウに対応する情報を表示する動作を含むことを特徴とする。
2017538312.tif 000002
【特許請求の範囲】
【請求項１】
街灯管理方法であって、
指定された周期毎に、少なくとも１つ以上の街灯であるノードの情報、前記ノード及び前記サーバと通信するゲートウェイの情報、及び前記ノードと前記ゲートウェイとの間の通信チャンネルの情報の少なくとも１つの情報をサーバから受信してアップデートする動作と、
前記ノードの情報に含まれた位置情報を用いて、前記ノードを画面に表示されたデジタルマップの対応する位置に表示し、前記ゲートウェイの情報に含まれた位置情報を用いて、前記ゲートウェイを前記デジタルマップの対応する位置に表示する動作と、
前記受信された情報またはユーザの操作に応じて、前記画面の情報表示ウインドウの少なくとも１つのウインドウに対応する情報を表示する動作と、を含む、街灯管理方法。
【請求項２】
前記ノードの情報は、
前記ノードの名前、前記ノードのＭＡＣアドレス（ＭＡＣ  Ａｄｄｒｅｓｓ）、前記ノードの街灯ランプのオン（ｏｎ）またはオフ（ｏｆｆ）状態、及び前記ノードの街灯ランプのディミング情報の少なくとも１つの情報を含む、請求項１に記載の街灯管理方法。
【請求項３】
ユーザの操作に応じて、前記デジタルマップに表示されたノードに関する情報を含むウインドウを前記画面に表示する動作を含む、請求項２に記載の街灯管理方法。
【請求項４】
前記ゲートウェイの情報は、
前記ゲートウェイの名前、前記ゲートウェイのＭＡＣアドレス（ＭＡＣ  Ａｄｄｒｅｓｓ）、前記ゲートウェイのＩＰアドレス（ＩＰ  Ａｄｄｒｅｓｓ）、前記ゲートウェイと通信する全体ノードの街灯ランプの平均ディミング情報、前記ゲートウェイの管理者の電話番号、前記ゲートウェイの位置情報、前記ゲートウェイと通信する全体ノードの数、前記ゲートウェイと通信するノードのうち街灯ランプがオンドとなっているノードの数、及び前記ゲートウェイと通信するノードのうち街灯ランプがオフとなっているノードの数の少なくとも１つの情報を含む、請求項１に記載の街灯管理方法。
【請求項５】
ユーザの操作に応じて、前記デジタルマップに表示されたゲートウェイに関する情報を含むウインドウを前記画面に表示する動作を含む、請求項４に記載の街灯管理方法。
【請求項６】
ユーザの操作に応じて、指定された制御ボタンを選択して、前記ノードの街灯ランプのディミング（Ｄｉｍｍｉｎｇ）制御設定、前記ノードの街灯ランプのブリンク（Ｂｌｉｎｋ）の制御設定、前記ノードの制御モード設定、前記ノードの基準時間設定、前記ゲートウェイの基準時間設定の少なくとも１つを実行する動作をさらに含み、
前記ノードの制御モード設定は、
指定された時間における前記ノードの街灯ランプのオン／オフ、指定された時間帯毎の前記ノードの街灯ランプのオン／オフ、指定された時間における前記ノードの街灯ランプのディミング値の調整の少なくとも１つを実行することを含む、請求項１に記載の街灯管理方法。
【請求項７】
前記デジタルマップ上におけるノードの表示有無を設定するための指定されたフィルターウインドウでのユーザの操作による、前記ノードの街灯ランプのオン、オフ、及びエラーの少なくとも１つの状態選択と、前記ノードの街灯ランプのディミング値の設定と、前記ノードの制御モード設定情報で指定された時間に前記ノードの街灯ランプをオン／オフするモード、指定された時間帯毎に前記ノードの街灯ランプをオン／オフするモード、及び指定された時間における前記ノードの街灯ランプのディミング値を調整するモードの少なくとも１つのモードの選択と、の少なくとも１つに応じて、前記ノードの表示有無を設定する動作を含む、請求項１に記載の街灯管理方法。
【請求項８】
ユーザの操作に応じて、デジタルマップオプションウインドウで前記ノード及び前記ゲートウェイの少なくとも１つの表示有無を設定する動作をさらに含み、
前記表示有無の設定に応じて、前記ノード及び前記ゲートウェイの少なくとも１つが前記画面に表示されることを含む、請求項１に記載の街灯管理方法。
【請求項９】
前記デジタルマップオプションウインドウは、
前記ゲートウェイの下位構成として前記通信チャンネルが設定されており、前記通信チャンネルの下位構成として前記ノードが設定されている連結関係に従って、前記ゲートウェイと前記通信チャンネルと前記ノードがツリー構造で表示されるツリー構造のウインドウを含み
ユーザの操作によって、前記ツリー構造のウインドウに表示された前記ゲートウェイが選択されると、前記ゲートウェイを前記デジタルマップの対応する位置に表示する動作と、
ユーザの操作によって、前記ツリー構造のウインドウに表示された前記通信チャンネルが選択され、前記ツリー構造のウインドウに表示された前記ノードが選択されると、前記ノードを前記デジタルマップの対応する位置に表示する動作を含む、請求項８に記載の街灯管理方法。
【請求項１０】
ユーザの操作によって、前記デジタルマップの対応する位置に表示された前記ノードの選択が解除されると、前記デジタルマップにおける前記ノードの表示を終了し、前記ツリー構造のウインドウに前記ノードが選択解除されたことを表示し、前記デジタルマップの対応する位置に表示された前記ゲートウェイの選択が解除されると、前記デジタルマップにおける前記ゲートウェイ及び前記ノードの表示を終了し、前記ツリー構造のウインドウに前記ゲートウェイ及び前記ノードが選択解除されたことを表示することを含む、請求項９に記載の街灯管理方法。
【請求項１１】
ユーザの操作に応じて、前記デジタルマップに表示された複数のノードをグループ化する動作と、
前記グループ化された複数のノードの街灯ランプのディミング設定、前記ノードの街灯ランプのブリンクの制御設定、前記ノードの制御モード設定、前記ノードの基準時間設定の少なくとも１つを実行する動作と、を含み、
前記ノードの制御モード設定は、
指定された時間における前記ノードの街灯ランプのオン／オフ、指定された時間帯毎の前記ノードの街灯ランプのオン／オフ、指定された時間における前記ノードの街灯ランプのディミング値の調整の少なくとも１つを実行することを含む、請求項１に記載の街灯管理方法。
【請求項１２】
前記少なくとも１つのウインドウに対応する情報を表示する動作は、
前記受信された情報がアラーム情報または障害情報を含むと、前記画面に表示されたアラーム及び障害リストウインドウに前記アラーム情報または障害情報を表示する動作を含む、請求項１に記載の街灯管理方法。
【請求項１３】
前記アラーム及び障害リストウインドウは、
全体アラーム数が表示されたアラームリスト表示ウインドウと、全体障害数が表示された障害リスト表示ウインドウと、を含み、指定された条件に応じて前記アラームリスト表示ウインドウまたは障害リスト表示ウインドウを表示し、
ユーザの操作に応じて、選択された前記アラームリスト表示ウインドウまたは前記障害リスト表示ウインドウを表示する動作を含む、請求項１２に記載の街灯管理方法。
【請求項１４】
前記障害リスト表示ウインドウは、
障害処理進行ボタンを含み、
ユーザの操作によって前記障害処理進行ボタンが選択されると、該当障害の処理情報を記録するウインドウを表示する動作を含む、請求項１３に記載の街灯管理方法。
【請求項１５】
前記少なくとも１つのウインドウに対応する情報を表示する動作は、
前記受信された情報が前記ノードの電力使用量情報を含むと、前記画面に表示された電力使用量ウインドウに前記ノードの電力使用量情報を表示する動作を含む、請求項１に記載の街灯管理方法。
【請求項１６】
前記電力使用量ウインドウは、
一日電力使用量、一日電力使用量のチャート、電力使用量の最高時間帯、最高電力使用量、平均電力使用量、及び累積電力使用量の少なくとも１つを表示する、請求項１５に記載の街灯管理方法。
【請求項１７】
前記少なくとも１つのウインドウに対応する情報を表示する動作は、
ユーザの操作によって、前記ノードまたは前記ゲートウェイを制御するための制御要請が入力されて該当制御が実行されると、前記画面に表示された制御リストウインドウに前記制御の情報を表示する動作を含む、請求項１に記載の街灯管理方法。
【請求項１８】
前記制御リストウインドウは、
指定された優先順位に従って制御情報のリストを表示することを含む、請求項１７に記載の街灯管理方法。
【請求項１９】
ユーザの操作によって、前記アラーム及び障害リストウインドウ、前記電力使用量ウインドウ、及び前記制御リストウインドウの少なくとも１つの表示有無を設定する動作をさらに含み、
前記表示有無の設定に応じて、前記アラーム及び障害リストウインドウ、前記電力使用量ウインドウ、及び前記制御リストウインドウの少なくとも１つを前記画面に表示する動作を含む、請求項１２乃至１５、及び１７の何れか一項に記載の街灯管理方法。
【請求項２０】
街灯管理装置であって、
通信モジュールと、
表示部と、
ユーザの操作の入力を受ける入力部と、
指定された周期毎に、少なくとも１つの街灯であるノードの情報、前記ノード及び前記サーバと通信するゲートウェイの情報、及び前記ノードと前記ゲートウェイとの間の通信チャンネルの情報の少なくとも１つの情報を前記通信モジュールによりサーバから受信してアップデートし、前記ノードの情報に含まれた位置情報を用いて、前記ノードを前記表示部に表示されたデジタルマップの対応する位置に表示し、前記ゲートウェイの情報に含まれた位置情報を用いて、前記ゲートウェイを前記デジタルマップの対応する位置に表示し、前記受信された情報または前記入力部を介して入力されたユーザの操作に応じて、前記表示部の情報表示ウインドウの少なくとも１つのウインドウに対応する情報を表示するように制御する制御部と、を含む街灯管理装置。
【請求項２１】
前記制御部は、
前記入力部を介して入力されたユーザの操作に応じて、前記表示部に表示された指定された制御ボタンを選択して、前記ノードの街灯ランプのディミング（Ｄｉｍｍｉｎｇ）制御設定、前記ノードの街灯ランプのブリンク（Ｂｌｉｎｋ）の制御設定、前記ノードの制御モード設定、前記ノードの基準時間設定、前記ゲートウェイの基準時間設定の少なくとも１つを実行を制御し、
前記ノードの制御モード設定は、
指定された時間における前記ノードの街灯ランプのオン／オフ、指定された時間帯毎の前記ノードの街灯ランプのオン／オフ、指定された時間における前記ノードの街灯ランプのディミング値の調整の少なくとも１つを実行することを含む、請求項２０に記載の街灯管理装置。
【請求項２２】
前記制御部は、
前記表示部に表示された前記デジタルマップ上におけるノードの表示有無を設定するための指定されたフィルターウインドウでの、前記入力部を介して入力されたユーザの操作による、前記ノードの街灯ランプのオン、オフ、及びエラーの少なくとも１つの状態選択と、前記ノードの街灯ランプのディミング値の設定と、前記ノードの制御モード設定情報で指定された時間に前記ノードの街灯ランプをオン／オフするモード、指定された時間帯毎の前記ノードの街灯ランプをオン／オフするモード、及び指定された時間における前記ノードの街灯ランプのディミング値を調整するモードの少なくとも１つのモードの選択と、の少なくとも１つに応じて、前記ノードの表示有無の設定を制御することを含む、請求項２０に記載の街灯管理装置。
【請求項２３】
前記制御部は、
前記入力部を介して入力されたユーザの操作に応じて、前記表示部に表示されたデジタルマップオプションウインドウで前記ノード及び前記ゲートウェイの少なくとも１つの表示有無の設定を制御し、前記表示有無の設定に応じて、前記ノード及び前記ゲートウェイの少なくとも１つが前記表示部に表示されるように制御することを含む、請求項２０に記載の街灯管理装置。
【請求項２４】
前記制御部は、
前記入力部を介して入力されたユーザの操作に応じて、前記デジタルマップに表示された複数のノードをグループ化し、前記グループ化された複数のノードの街灯ランプのディミング設定、前記ノードの街灯ランプのブリンクの制御設定、前記ノードの制御モード設定、前記ノードの基準時間設定の少なくとも１つを実行を制御し、
前記ノードの制御モード設定は、
指定された時間における前記ノードの街灯ランプのオン／オフ、指定された時間帯毎の前記ノードの街灯ランプのオン／オフ、指定された時間における前記ノードの街灯ランプのディミング値の調整の少なくとも１つを実行することを含む、請求項２０に記載の街灯管理装置。
【請求項２５】
前記制御部は、
前記受信された情報がアラーム情報または障害情報を含むと、前記表示部に表示されたアラーム及び障害リストウインドウに前記アラーム情報または障害情報を表示することを含む、請求項２０に記載の街灯管理装置。
【請求項２６】
前記制御部は、
前記受信された情報が前記ノードの電力使用量情報を含むと、前記表示部に表示された電力使用量ウインドウに前記ノードの電力使用量情報を表示することを含む、請求項２０に記載の街灯管理装置。
【請求項２７】
前記制御部は、
前記入力部を介して入力されたユーザの操作によって、前記ノードまたは前記ゲートウェイを制御するための制御要請が入力されて該当制御が実行されると、前記表示部に表示された制御リストウインドウに前記制御の情報を表示することを含む、請求項２０に記載の街灯管理装置。
【発明の詳細な説明】
【技術分野】
【０００１】
本発明は、様々な地域に分散されている街灯を管理するための街灯管理方法及び装置に関する。
【背景技術】
【０００２】
技術の発展に伴い、街灯の管理を自動化し、街灯を効率的に管理するための技術開発が行われてきた。
【０００３】
従来の街灯管理技術としては、韓国特許出願公開第２００５‐０００３１６５号（名称；「コンピュータ遠隔双方向街灯総合管理方法及びそのシステム」、発明者；チョ・ゾンソプ外２名、出願人；チョ・ゾンソプ、公開日；２００５年１月１０日）が挙げられる。前記韓国特許出願公開第２００５‐０００３１６５号に開示されている街灯管理装置は、街灯を遠隔で作動させ、画像を用いたビジュアル（Ｖｉｓｕａｌ）の確認と状態信号の確認を併せて行うことで、道路の照明状態を効果的に監視するとともに、履歴をデータベース化して故障管理と補修作業管理を行い、補修資材、装備、及び人力を総合して管理する動作を行う。
【０００４】
前記韓国特許出願公開第２００５‐０００３１６５号に開示されているように、現在、街灯を簡便に管理するための多くの技術が開発されている。しかし、従来は、街灯を管理する管理者が、様々な地域に分散されている街灯の設置位置及び街灯の状態情報を一目で確認し、街灯をリアルタイムでモニタリングして簡便に街灯を制御することができる技術は開発されていない。
【発明の概要】
【発明が解決しようとする課題】
【０００５】
したがって、本発明の一目的は、様々な地域に分散されている街灯の設置位置及び街灯の状態情報を確認し、リアルタイムでモニタリングできる街灯管理方法及び装置を提供することにある。
【０００６】
また、本発明の他の目的は、簡便に個別またはグループとして街灯を制御することができ、正確で且つ迅速に街灯の設備を管理することができる街灯管理方法及び装置を提供することにある。
【０００７】
また、本発明のさらに他の目的は、街灯の電力使用量を検知及び判別して電力消費を低減することができる街灯管理方法及び装置を提供することにある。
【０００８】
また、本発明のさらに他の目的は、街灯関連情報をリアルタイムで受信し、街灯に障害が発生した時に、メンテナンス及び障害対応にかかる時間及びコストを低減することができる街灯管理方法及び装置を提供することにある。
【課題を解決するための手段】
【０００９】
上記の目的を達成するために、本発明の一様態によると、街灯管理方法であって、指定された周期毎に、少なくとも１つの街灯であるノードの情報、前記ノード及び前記サーバと通信するゲートウェイの情報、及び前記ノードと前記ゲートウェイとの間の通信チャンネルの情報の少なくとも１つの情報をサーバから受信してアップデートする動作と、前記ノードの情報に含まれた位置情報を用いて、前記ノードを画面に表示されたデジタルマップの対応する位置に表示し、前記ゲートウェイの情報に含まれた位置情報を用いて、前記ゲートウェイを前記デジタルマップの対応する位置に表示する動作と、前記受信された情報またはユーザの操作に応じて、前記画面の情報表示ウインドウの少なくとも１つのウインドウに対応する情報を表示する動作と、を含むことを特徴とする。
【００１０】
上記の目的を達成するために、本発明の他の様態によると、街灯管理装置であって、通信モジュールと、表示部と、ユーザの操作の入力を受ける入力部と、指定された周期毎に、少なくとも１つの街灯であるノードの情報、前記ノード及び前記サーバと通信するゲートウェイの情報、及び前記ノードと前記ゲートウェイとの間の通信チャンネルの情報の少なくとも１つの情報を前記通信モジュールによりサーバから受信してアップデートし、前記ノードの情報に含まれた位置情報を用いて、前記ノードを前記表示部に表示されたデジタルマップの対応する位置に表示し、前記ゲートウェイの情報に含まれた位置情報を用いて、前記ゲートウェイを前記デジタルマップの対応する位置に表示し、前記受信された情報または前記入力部を介して入力されたユーザの操作に応じて、前記表示部の情報表示ウインドウの少なくとも１つのウインドウに対応する情報を表示するように制御する制御部と、を含むことを特徴とする。
【発明の効果】
【００１１】
上記のように、街灯管理方法及び装置を用いることで、ユーザが様々な地域に分散されている街灯の設置位置及び街灯の状態情報を一目で確認し、リアルタイムでモニタリングすることができる。また、ユーザが簡便に個別またはグループとして街灯を制御することができ、正確で且つ迅速に街灯設備を管理することができる。また、ユーザが街灯の電力使用量を容易に把握して、街灯の電力消費を低減することができる。さらに、ユーザが街灯関連情報をリアルタイムで確認し、街灯の障害が発生した時にメンテナンス及び障害対応にかかる時間及びコストを低減することができる。
【図面の簡単な説明】
【００１２】
【図１】本発明の一実施形態による街灯システムを示した例示図である。
【図２】本発明の一実施形態による街灯システムのブロック図である。
【図３】本発明の他の実施形態による街灯システムを示した例示図である
【図４】本発明の一実施形態による街灯管理動作のフローチャートである。
【図５】本発明の一実施形態による街灯管理アプリケーションの実行例示図である。
【図６】本発明の一実施形態による街灯管理アプリケーションに表示されたウインドウを示した図である。
【図７】本発明の一実施形態による街灯管理アプリケーションに表示されたウインドウを示した図である。
【図８】本発明の一実施形態による街灯管理アプリケーションに表示されたウインドウを示した図である。
【図９】本発明の一実施形態による街灯管理アプリケーションに表示されたウインドウを示した図である。
【図１０】本発明の一実施形態による街灯管理アプリケーションに表示されたウインドウを示した図である。
【図１１】本発明の一実施形態による街灯管理アプリケーションに表示されたウインドウを示した図である。
【図１２】本発明の一実施形態による街灯管理アプリケーションに表示されたウインドウを示した図である。
【図１３】本発明の一実施形態による街灯管理アプリケーションに表示されたウインドウを示した図である。
【図１４】本発明の一実施形態による街灯管理アプリケーションに表示されたウインドウを示した図である。
【図１５】本発明の一実施形態による街灯管理アプリケーションに表示されたウインドウを示した図である。
【図１６】本発明の一実施形態による街灯管理アプリケーションに表示されたウインドウを示した図である。
【図１７】本発明の一実施形態によるツリー構造のウインドウで、ゲートウェイの制御のためのメニュー実行を示した図である。
【図１８】本発明の一実施形態によるツリー構造のウインドウで、ノードの制御のためのメニュー実行を示した図である。
【図１９】本発明の一実施形態によるデジタルマップでゲートウェイ及びノードを選択または選択解除するための方法を説明するための図である。
【図２０】本発明の他の実施形態によるデジタルマップでゲートウェイ及びノードを選択または選択解除するための方法を説明するための図である。
【図２１】本発明の一実施形態によるデジタルマップでノードの制御のためのメニュー実行を示した図である。
【図２２】本発明の一実施形態によるデジタルマップでゲートウェイの制御のためのメニュー実行を示した図である。
【図２３】本発明の一実施形態によるゲートウェイのコンテキストメニューのうち、名前再設定メニューを実行させる動作を説明するための図である。
【図２４】本発明の一実施形態によるゲートウェイのコンテキストメニューのうち、ラベル設定メニューを実行させる動作を説明するための図である。
【図２５】本発明の一実施形態によるゲートウェイのコンテキストメニューのうち、トポロジーメニューを実行させる動作を説明するための図である。
【図２６】本発明の一実施形態によるゲートウェイのコンテキストメニューのうち、ノードスキャンメニューを実行させる動作を説明するための図である。
【図２７】本発明の他の実施形態によるゲートウェイのコンテキストメニューのうち、ノードスキャンメニューを実行させる動作を説明するための図である。
【図２８】本発明の一実施形態によるゲートウェイのコンテキストメニューのうち、ＲＴＣ時間設定／獲得メニューを実行させる動作を説明するための図である。
【図２９】本発明の一実施形態によるゲートウェイのコンテキストメニューのうち、位置設定メニューを実行させる動作を説明するための図である。
【図３０】本発明の一実施形態によるゲートウェイのコンテキストメニューのうち、ディスコネクトメニューを実行させる動作を説明するための図である。
【図３１】本発明の一実施形態によるゲートウェイのコンテキストメニューのうち、リセットメニューを実行させる動作を説明するための図である。
【図３２】本発明の一実施形態によるノードのコンテキストメニューのうち、ランプオンメニューを実行させる動作を説明するための図である。
【図３３】本発明の一実施形態によるノードのコンテキストメニューのうち、ランプディミングメニューを実行させる動作を説明するための図である。
【図３４】本発明の一実施形態によるノードのコンテキストメニューのうち、ランプ制御モード設定メニューを実行させる動作を説明するための図である。
【図３５】本発明の一実施形態によるノードのコンテキストメニューのうち、ランプ制御モード獲得メニューを実行させる動作を説明するための図である。
【図３６】本発明の一実施形態によるノードのコンテキストメニューのうち、ユーザオン／オフ時間メニューを実行させる動作を説明するための図である。
【図３７】本発明の一実施形態によるノードのコンテキストメニューのうち、ＲＴＣ時間設定／獲得メニューを実行させる動作を説明するための図である。
【図３８】本発明の一実施形態によるノードのコンテキストメニューのうち、位置設定メニューを実行させる動作を説明するための図である。
【図３９】本発明の一実施形態によるノードのコンテキストメニューのうち、リセットメニューを実行させる動作を説明するための図である。
【図４０】本発明の様々な実施形態による管理及び統計のためのサブメニューのうち、リアルタイム現況項目の実行時に表示される画面を示した図である。
【図４１】本発明の様々な実施形態による管理及び統計のためのサブメニューのうち、リアルタイム現況項目の実行時に表示される画面を示した図である。
【図４２】本発明の様々な実施形態による管理及び統計のためのサブメニューのうち、施設管理項目の実行時に表示される画面を示した図である。
【図４３】本発明の様々な実施形態による管理及び統計のためのサブメニューのうち、施設管理項目の実行時に表示される画面を示した図である。
【図４４】本発明の様々な実施形態による管理及び統計のためのサブメニューのうち、施設管理項目の実行時に表示される画面を示した図である。
【図４５】本発明の様々な実施形態による管理及び統計のためのサブメニューのうち、施設管理項目の実行時に表示される画面を示した図である。
【図４６】本発明の様々な実施形態による管理及び統計のためのサブメニューのうち、施設管理項目の実行時に表示される画面を示した図である。
【図４７】本発明の様々な実施形態による管理及び統計のためのサブメニューのうち、施設管理項目の実行時に表示される画面を示した図である。
【図４８】本発明の様々な実施形態による管理及び統計のためのサブメニューのうち、施設管理項目の実行時に表示される画面を示した図である。
【図４９】本発明の様々な実施形態による管理及び統計のためのサブメニューのうち、施設管理項目の実行時に表示される画面を示した図である。
【図５０】本発明の様々な実施形態による管理及び統計のためのサブメニューのうち、施設管理項目の実行時に表示される画面を示した図である。
【図５１】本発明の様々な実施形態による管理及び統計のためのサブメニューのうち、施設管理項目の実行時に表示される画面を示した図である。
【図５２】本発明の様々な実施形態による管理及び統計のためのサブメニューのうち、施設管理項目の実行時に表示される画面を示した図である。
【図５３】本発明の様々な実施形態による管理及び統計のためのサブメニューのうち、施設管理項目の実行時に表示される画面を示した図である。
【図５４】本発明の様々な実施形態による管理及び統計のためのサブメニューのうち、施設管理項目の実行時に表示される画面を示した図である。
【図５５】本発明の様々な実施形態による管理及び統計のためのサブメニューのうち、施設管理項目の実行時に表示される画面を示した図である。
【図５６】本発明の様々な実施形態による管理及び統計のためのサブメニューのうち、施設管理項目の実行時に表示される画面を示した図である。
【図５７】本発明の様々な実施形態による管理及び統計のためのサブメニューのうち、施設管理項目の実行時に表示される画面を示した図である。
【図５８】本発明の様々な実施形態による管理及び統計のためのサブメニューのうち、施設管理項目の実行時に表示される画面を示した図である。
【図５９】本発明の様々な実施形態による管理及び統計のためのサブメニューのうち、施設管理項目の実行時に表示される画面を示した図である。
【図６０】本発明の様々な実施形態による管理及び統計のためのサブメニューのうち、施設管理項目の実行時に表示される画面を示した図である。
【図６１】本発明の様々な実施形態による管理及び統計のためのサブメニューのうち、施設管理項目の実行時に表示される画面を示した図である。
【図６２】本発明の様々な実施形態による管理及び統計のためのサブメニューのうち、施設管理項目の実行時に表示される画面を示した図である。
【図６３】本発明の様々な実施形態による管理及び統計のためのサブメニューのうち、施設管理項目の実行時に表示される画面を示した図である。
【図６４】本発明の様々な実施形態による管理及び統計のためのサブメニューのうち、施設管理項目の実行時に表示される画面を示した図である。
【図６５】本発明の様々な実施形態による管理及び統計のためのサブメニューのうち、施設管理項目の実行時に表示される画面を示した図である。
【図６６】本発明の様々な実施形態による管理及び統計のためのサブメニューのうち、施設管理項目の実行時に表示される画面を示した図である。
【図６７】本発明の様々な実施形態による管理及び統計のためのサブメニューのうち、施設管理項目の実行時に表示される画面を示した図である。
【図６８】本発明の様々な実施形態による管理及び統計のためのサブメニューのうち、施設管理項目の実行時に表示される画面を示した図である。
【図６９】本発明の様々な実施形態による管理及び統計のためのサブメニューのうち、運営管理項目の実行時に表示される画面を示した図である。
【図７０】本発明の様々な実施形態による管理及び統計のためのサブメニューのうち、運営管理項目の実行時に表示される画面を示した図である。
【図７１】本発明の様々な実施形態による管理及び統計のためのサブメニューのうち、運営管理項目の実行時に表示される画面を示した図である。
【図７２】本発明の様々な実施形態による管理及び統計のためのサブメニューのうち、運営管理項目の実行時に表示される画面を示した図である。
【図７３】本発明の様々な実施形態による管理及び統計のためのサブメニューのうち、運営管理項目の実行時に表示される画面を示した図である。
【図７４】本発明の様々な実施形態による管理及び統計のためのサブメニューのうち、運営管理項目の実行時に表示される画面を示した図である。
【図７５】本発明の様々な実施形態による管理及び統計のためのサブメニューのうち、運営管理項目の実行時に表示される画面を示した図である。
【図７６】本発明の様々な実施形態による管理及び統計のためのサブメニューのうち、運営管理項目の実行時に表示される画面を示した図である。
【図７７】本発明の様々な実施形態による管理及び統計のためのサブメニューのうち、運営管理項目の実行時に表示される画面を示した図である。
【図７８】本発明の様々な実施形態による管理及び統計のためのサブメニューのうち、運営管理項目の実行時に表示される画面を示した図である。
【図７９】本発明の様々な実施形態による管理及び統計のためのサブメニューのうち、運営管理項目の実行時に表示される画面を示した図である。
【図８０】本発明の様々な実施形態による管理及び統計のためのサブメニューのうち、運営管理項目の実行時に表示される画面を示した図である。
【図８１】本発明の様々な実施形態による管理及び統計のためのサブメニューのうち、運営管理項目の実行時に表示される画面を示した図である。
【図８２】本発明の様々な実施形態による管理及び統計のためのサブメニューのうち、統計／報告書項目の実行時に表示される画面を示した図である。
【図８３】本発明の様々な実施形態による管理及び統計のためのサブメニューのうち、統計／報告書項目の実行時に表示される画面を示した図である。
【図８４】本発明の様々な実施形態による管理及び統計のためのサブメニューのうち、統計／報告書項目の実行時に表示される画面を示した図である。
【図８５】本発明の様々な実施形態による管理及び統計のためのサブメニューのうち、統計／報告書項目の実行時に表示される画面を示した図である。
【図８６】本発明の一実施形態によるスマートフォンなどのモバイル用端末装置で実行できる街灯管理アプリケーションを示す図である。
【図８７】本発明の一実施形態によるスマートフォンなどのモバイル用端末装置で実行できる街灯管理アプリケーションを示す図である。
【図８８】本発明の一実施形態によるスマートフォンなどのモバイル用端末装置で実行できる街灯管理アプリケーションを示す図である。
【図８９】本発明の一実施形態によるスマートフォンなどのモバイル用端末装置で実行できる街灯管理アプリケーションを示す図である。
【発明を実施するための形態】
【００１３】
以下、本発明による好ましい実施形態を添付図面を参照して詳細に説明する。下記の説明において、具体的なデジタルマップ、サブメニューなどのような名称、構成素子などの特定事項が記載されているが、これは本発明のより全般的な理解のために提供されるものに過ぎず、このような特定事項が本発明の範囲内で所定の変形または変更され得ることは、この技術分野において通常の知識を有する者には自明であるといえる。
【００１４】
図１は、本発明の一実施形態による街灯システムを示した例示図であり、図２は、本発明の一実施形態による街灯システムのブロック図であり、図３は、本発明の他の実施形態による街灯システムを示した例示図である。図１〜図３を参照すると、街灯システムは、サーバ（Ｓｅｒｖｅｒ）１１０と、端末装置１３０と、ルータ（Ｒｏｕｔｅｒ）１５０と、少なくとも１つのゲートウェイ（Ｇａｔｅｗａｙ）１７０；１７０‐１、…、１７０‐ｎと、少なくとも１つの街灯１９０と、を含むことができる。
【００１５】
街灯１９０は、通常、街灯ランプと、前記街灯ランプを支持する柱としての灯柱と、で構成されており、本発明の実施形態によると、街灯に通信装備がさらに備えられて、通信動作を行うことができる。以下では、通信装備を備えた街灯１９０をノードと言う。
【００１６】
サーバ１１０は、図２に示されたように、制御部１１１と、格納部１１３と、通信部１１４と、を含むことができる。また、サーバ１１０は、ルータ１５０を介してゲートウェイ１７０と連結されることができる。
【００１７】
制御部１１１は、格納部１１３に格納されている街灯管理アプリケーションを通信部１１４を介して端末装置１３０に伝送することができる。前記街灯管理アプリケーションは、端末装置１３０で街灯管理が実行されるようにデザインされたソフトウェアプログラムであることができる。
【００１８】
また、制御部１１１は、指定された周期毎に、ゲートウェイ１７０から、ノード１９０の情報、ゲートウェイ１７０の情報、ノード１９０とゲートウェイ１７０との間の通信チャンネル情報の少なくとも１つの情報を通信部１１４を介して受信して格納部１１３に格納し、前記格納された少なくとも１つの情報を前記通信部１１４を介して端末装置１３０に伝送することができる。また、制御部１１１は、端末装置１３０から、ノード１９０の情報、ゲートウェイ１７０の情報を通信部１１４を介して受信し、街灯管理アプリケーションの情報をアップデートすることができる。
【００１９】
端末装置１３０は、図２に示されたように、制御部１３１と、入力部１３２と、表示部１３３と、通信モジュール１３４と、格納部１３５と、を含むことができる。また、端末装置１３０は、コンピュータ（不図示）、タブレットＰＣ（不図示）、スマートフォン（不図示）などの様々なものであることができる。
【００２０】
入力部１３２は、ユーザの操作の入力を受けるものであって、タッチスクリーン（不図示）で構成されることができ、キーボード（不図示）、マウス（不図示）、マイク（不図示）、ボタン（不図示）などを含むことができる。
【００２１】
表示部１３３は、各種応用プログラムの実行映像と動作状態、メニュー状態などを表示するものであって、タッチスクリーンと統合して実現されることができる。
【００２２】
通信モジュール１３４は、サーバ１１０、移動通信端末などのような外部装置との無線通信のための無線信号処理動作を行うものであって、アンテナと、ＲＦ部と、モデム（ＭＯＤＥＭ）と、を含んで備えられることができる。また、通信モジュール１３４は、無線ＲＡＮモジュール、Ｗｉ‐Ｆｉダイレクト、ＮＦＣ（Ｎｅａｒ  Ｆｉｅｌｄ  Ｃｏｍｍｕｎｉｃａｔｉｏｎ）、ブルートゥース（登録商標）などのような近距離通信モジュールなどを備えており、無線アクセスポイント（ＡＰ、ａｃｃｅｓｓ  ｐｏｉｎｔ）が設置された場所で、無線インターネットなどと連結されたり、周辺装置と無線で近距離通信動作を行うことができる。
【００２３】
格納部１３５は、制御部１３１の制御に応じて、入力部１３２、表示部１３３、通信モジュール１３４の動作に対応するように入／出力される信号またはデータを格納することができる。また、格納部１３５は、端末装置１３０または制御部１３１の制御のための制御プログラム及びアプリケーションを格納することができる。
【００２４】
「格納部」という用語は、格納部１３５、制御部１３１内のＲＯＭ（不図示）、ＲＡＭ  
（不図示）、または端末装置１３０に取り付けられるメモリーカード（不図示）（例えば、ＳＤカード、メモリースティック）を含む。
【００２５】
制御部１３１は、ＣＰＵ（不図示）、端末装置１３０の制御のための制御プログラムが格納されたＲＯＭ（不図示）、及び端末装置１３０の外部から入力される信号またはデータを記憶したり、端末装置１３０で行われる作業のための記憶領域として用いられるＲＡＭ（不図示）を含むことができる。
【００２６】
また、制御部１３１は、前記各機能部（入力部１３２、表示部１３３、通信モジュール１３４、格納部１３５）を総括的に制御することができる。
【００２７】
また、本発明の実施形態によると、制御部１３１は、指定された周期毎に、少なくとも１つの街灯であるノード１９０の情報、ノード１９０及びサーバ１１０と通信するゲートウェイ１７０の情報、及びノード１９０とゲートウェイ１７０との間の通信チャンネルの情報の少なくとも１つの情報を通信モジュール１３４によりサーバ１１０から受信してアップデートし、ノード１９０の情報に含まれた位置情報を用いて、ノード１９０を表示部１３３に表示されたデジタルマップの対応する位置に表示し、ゲートウェイ１７０の情報に含まれた位置情報を用いて、ゲートウェイ１７０を前記デジタルマップの対応する位置に表示し、前記受信された情報または入力部１３２を介して入力されたユーザの操作に応じて、表示部１３３の情報表示ウインドウの少なくとも１つのウインドウに対応する情報を表示するように制御することができる。
【００２８】
ゲートウェイ１７０は、サーバ１１０の制御に応じて、例えば、最大２００個のノード１９０と通信（例えば、ジグビー（Ｚｉｇｂｅｅ）通信）して、ノード１９０の制御、すなわち、街灯の制御を行うことができる。また、ゲートウェイ１７０が１つのチャンネルを用いる時に、制御すべきノード１９０の個数が増加すると、図１のように、複数個のゲートウェイ１７０が必要となり得る。一方、狭小な地域でも円滑な通信が可能であるようにゲートウェイ１７０が複数個のチャンネルを用いる時には、図３のように、１つのゲートウェイ１７０を用いながら、ノードの個数を増加させることもできる。また、ゲートウェイ１７０とサーバ１１０は、ＣＤＭＡ網（または、ＧＳＭ（登録商標）網、ＷＣＤＭＡ（登録商標）網など）を用いて互いに通信することができる。
【００２９】
図４は本発明の一実施形態による街灯管理動作のフローチャートである。
【００３０】
図４を参照すると、４１０動作では、端末装置が、指定された周期毎に、少なくとも１つのノードの情報、前記ノード及び前記サーバと通信するゲートウェイの情報、及び前記ノードと前記ゲートウェイとの間の通信チャンネルの情報の少なくとも１つの情報をサーバから受信してアップデートすることができる。
【００３１】
４３０動作では、端末装置が、前記ノードの情報に含まれた位置情報を用いて、ノードを画面に表示されたデジタルマップの対応する位置に表示し、ゲートウェイの情報に含まれた位置情報を用いて、ゲートウェイをデジタルマップの対応する位置に表示することができる。
【００３２】
４５０動作では、端末装置が、受信された情報またはユーザの操作に応じて、画面の情報表示ウインドウの少なくとも１つのウインドウに対応する情報を表示することができる。前記情報表示ウインドウは、例えば、後述のアラーム及び障害リストウインドウ、電力使用量ウインドウ、制御リストウインドウであることができる。また、例えば、４１０動作で受信された情報がアラーム情報または障害情報を含むと、画面に表示されたアラーム及び障害リストウインドウに、前記アラーム情報または障害情報を表示することができる。また、例えば、４１０動作で受信された情報がノードの電力使用量情報を含むと、画面に表示された電力使用量ウインドウに、前記ノードの電力使用量情報を表示することができる。また、例えば、ユーザの操作によって、ノードまたはゲートウェイを制御するための制御要請が入力され、該当制御が実行されると、画面に表示された制御リストウインドウに、実行された制御情報を表示することができる。
【００３３】
図５は、本発明の一実施形態による街灯管理アプリケーションの実行例示図である。ユーザの操作によって、端末装置で街灯管理アプリケーションが実行されると、端末装置は、
図５のように、サーバが管理するノードが設置された地域に対応するデジタルマップ５０１を画面に表示することができる。また、端末装置は、後述の言語切替を選択するメニュー５０３、管理及び統計のためのサブメニュー５０５、デジタルマップオプションウインドウ５０７、制御ボタン５０９、フィルターウインドウ５１１、アラーム及び障害リストウインドウ５１３、電力使用量情報ウインドウ５１５、制御リストウインドウ５１７を画面に表示することができる。また、ユーザの操作または指定された条件に応じて、端末装置は、サーバが管理するノードの少なくとも１つのノード５２１をデジタルマップ５０１の対応する位置に表示することができ、前記少なくとも１つのノード５２１及び前記サーバと通信するゲートウェイ５２３をデジタルマップ５０１の対応する位置に表示することができる。また、ユーザの操作に応じて、端末装置は、デジタルマップ５０１に表示された特定ゲートウェイ（例えば、ゲートウェイ５２３）の情報を含むウインドウ５１９及び／またはデジタルマップ５０１に表示されたノードの情報を含むウインドウを画面に表示することができる。
【００３４】
一方、ユーザの操作に応じて、端末装置は、アラーム及び障害リストウインドウ５１３、電力使用量情報ウインドウ５１５、及び／または制御リストウインドウ５１７の表示有無を設定することができ、前記表示有無の設定に応じて、端末装置は、アラーム及び障害リストウインドウ５１３、電力使用量情報ウインドウ５１５、制御リストウインドウ５１７の少なくとも１つを画面に表示することができる。
【００３５】
前記言語切替を選択するメニュー５０３は、図６のように、例えば、韓国語（Ｋｏｒｅａｎ）、英語（Ｅｎｇｌｉｓｈ）の少なくとも１つの言語がユーザの操作によって選択されると、選択された言語が街灯管理アプリケーションに適用されるようにするメニューであって、上述の言語以外にも様々な言語が含まれることができる。
【００３６】
前記管理及び統計のためのサブメニュー５０５は、図７のように、リアルタイム現況（ＲＥＡＬ‐ＴＩＭＥ  ＳＩＴＵＡＴＩＯＮ）７０１、施設管理（ＦＡＣＩＬＩＴＥＳ）７０３、運営管理（ＯＰＥＲＡＴＩＯＮ）７０５、統計／報告書（ＲＥＰＯＲＴ）７０７の項目を含むメニューである。ユーザの操作によって、管理及び統計のためのサブメニュー５０５が選択されると、端末装置は、図７のように、後述のリアルタイム現況７０１、施設管理７０３、運営管理７０５、統計／報告書７０７の項目を含むウインドウを画面に表示することができる。
【００３７】
前記デジタルマップオプションウインドウ５０７は、３つのオプションウインドウを含むことができる。端末装置は、デジタルマップオプションウインドウ５０７を画面に表示する時に、３つのオプションウインドウ（第１のオプションウインドウ、第２のオプションウインドウ、第３のオプションウインドウ）のうちデフォルトで設定された１つのオプションウインドウを画面に表示することができる。また、ユーザの操作に応じて、端末装置は、選択された１つのオプションウインドウを表示することができる。
【００３８】
例えば、デジタルマップオプションウインドウ５０７の第１のオプションウインドウは、図８の（ａ）のように、ユーザの操作によって、デジタルマップ５０１上のノードの表示有無（Ｎｏｄｅ）８０１１、デジタルマップ５０１上のゲートウェイの表示有無（Ｇａｔｅｗａｙ）８０１３、電力使用量情報ウインドウ５１５の表示有無（Ｐｏｗｅｒ  ｕｓａｇｅ）８０１５、制御リストウインドウ５１７の表示有無（Ｃｏｎｓｏｌｅ）８０１７、及び／またはアラーム及び障害リストウインドウ５１３の表示有無（Ｆａｉｌｕｒｅ  Ｎｏｄｅ）８０１９の少なくとも１つの表示有無を設定するウインドウであることができる。ユーザの操作による、上述の項目（デジタルマップ５０１上のノードの表示有無（Ｎｏｄｅ）８０１１、デジタルマップ５０１上のゲートウェイの表示有無（Ｇａｔｅｗａｙ）８０１３、電力使用量情報ウインドウ５１５の表示有無（Ｐｏｗｅｒ  ｕｓａｇｅ）８０１５、制御リストウインドウ５１７の表示有無（Ｃｏｎｓｏｌｅ）８０１７、及び／またはアラーム及び障害リストウインドウ５１３の表示有無（Ｆａｉｌｕｒｅ  Ｎｏｄｅ）８０１９）の表示有無の設定に応じて、端末装置は上述の項目の少なくとも１つを画面に表示することができる。
【００３９】
また、例えば、ゲートウェイの下位構成として、前記ゲートウェイとサーバを連結する通信チャンネルが設定されており、前記通信チャンネルの下位構成として、前記通信チャンネルを介して前記ゲートウェイと連結されるノードが設定されている連結関係が設定されている時に、デジタルマップオプションウインドウ５０７の第２のオプションウインドウは、前記連結関係に従って、図８の（ｂ）のように、前記ゲートウェイと前記通信チャンネルと前記ノードをツリー構造で表示するウインドウ（ツリー構造のウインドウともいう）であることができる。図８の（ｂ）を参照すると、端末装置は、ツリー構造のウインドウにサーバで管理する複数のゲートウェイを表示することができ、ユーザの操作によって選択されたゲートウェイの下位構成として、前記ゲートウェイとノードを連結する通信チャンネルを表示することができ、選択された通信チャンネルの下位構成として、前記通信チャンネルを介してゲートウェイと連結されるノードを表示することができる。また、ゲートウェイ、通信チャンネル、ノードの名前の横にはチェックボックスが設けられており、端末装置は、選択されたゲートウェイ、通信チャンネル、ノードのそれぞれのチェックボックスにチェック表示をして選択されたことをユーザが確認できるようにすることができる。端末装置は、サーバとＴＣＰ連結されているゲートウェイの名前を指定色で表示することができる。また、端末装置は、コーディネータ（ｃｏｏｒｄｉｎａｔｏｒ）ノードの名前を指定色で表示することができる。また、チェックボックスにチェック表示されている状態の時に、ユーザの操作に応じて、端末装置は、チェック表示対象のゲートウェイ、通信チャンネル、またはノードを制御するためのメニューであるコンテキストメニューを実行させて表示することができる。
【００４０】
また、例えば、デジタルマップオプションウインドウ５０７の第３のオプションウインドウは、図８の（ｃ）のように、ノードを照会するウインドウであることができる。図８の（ｃ）を参照すると、ノードを照会するウインドウは、ユーザが、ノード名、ノードのＭＡＣアドレス、ノードのアドレスなどのように、ノードの照会のための指定された情報を入力して照会するようにすることができる。また、ユーザの操作によって照会動作の結果リストから１つの照会動作結果が選択されると、端末装置は、該当ノードが位置しているデジタルマップへ画面を移動させることができる。また、前記該当ノードを含む位置を拡大して画面に表示することができる。
【００４１】
前記制御ボタン５０９は、図９のように、オンボタン（ＯＮ）９０１、オフボタン（ＯＦＦ）９０２、ディミングボタン（ＤＩＭＭＩＮＧ）９０３、エマージェンシブリンクボタン（ＥＭＥＲＧＥＮＣＹ  ＢＬＩＮＫ）９０４、制御ボタン（ＣＯＮＴＲＯＬ）９０５、ゲートウェイ時間設定ボタン（ＳＥＴ  Ｇ／Ｗ  ＴＩＭＥ）９０６、ノード時間設定ボタン（ＳＥＴ  ＮＯＤＥ  ＴＩＭＥ）９０７を含むことができる。
【００４２】
オンボタン９０１は、街灯ランプをオンさせるように設定するボタンであり、オフボタン９０２は、街灯ランプをオフさせるように設定するボタンであることができる。また、ディミングボタン９０３は、ゲートウェイ、チャンネル、またはノード単位で街灯ランプのディミング制御を設定するボタンであることができる。また、エマージェンシブリンク（Ｅｍｅｒｇｅｎｃｙ  Ｂｌｉｎｋ）ボタン９０４は、ゲートウェイ、チャンネル、またはノード単位で街灯ランプのブリンクの制御を設定（例えば、街灯ランプのブリンクの開始及び／または終了を設定）するボタンであることができる。制御ボタン９０５（制御モード設定ボタンともいう）は、ゲートウェイ、チャンネル、またはノード単位で、指定された時間に街灯ランプをオンまたはオフ（オン／オフ）するモード、指定された時間帯毎に街灯ランプをオンまたはオフするモード、指定された時間に街灯ランプのディミング値を調整するモードの少なくとも１つの制御モードを設定するボタンであることができる。ゲートウェイ時間設定ボタン９０６は、ゲートウェイの基準時間を設定したり、ゲートウェイの基準時間を受信して確認可能であるようにするボタンであることができる。また、ノード時間設定ボタン９０７は、ノードの基準時間を設定したり、ノードの基準時間を受信できるようにするボタンであることができる。
【００４３】
端末装置は、ユーザの操作に応じて、上述の制御ボタン５０９を選択して、１つ以上のノードの街灯ランプのディミング制御設定、前記ノードの街灯ランプのブリンクの制御設定、前記ノードの制御モード設定、前記ノードの基準時間設定、前記ゲートウェイの基準時間設定の少なくとも１つを実行することができる。
【００４４】
また、端末装置は、ユーザの操作に応じて、デジタルマップに表示された複数のノードをグループ化し、上述の制御ボタン５０９を選択して、グループ化された複数のノードの街灯ランプのディミング設定、前記ノードの街灯ランプのブリンクの制御設定、前記ノードの制御モード設定、前記ノードの基準時間設定の少なくとも１つを実行することができる。
【００４５】
一方、前記制御モード設定は、指定された時間におけるノードの街灯ランプ（または、ノードらの街灯ランプ）のオンまたはオフ、指定された時間帯毎のノードの街灯ランプ（または、ノードらの街灯ランプ）のオンまたはオフ、指定された時間におけるノードの街灯ランプ（または、ノードの街灯ランプ）のディミング値の調整の少なくとも１つを実行することを含むことができる。
【００４６】
前記フィルターウインドウ５１１は、デジタルマップ上におけるノードの表示有無を設定することができるウインドウであり、図１０のように、３つの表示有無設定項目を含むことができる。図１０の（ａ）を参照すると、ユーザの操作による、街灯ランプのオン、オフ、及びエラーの少なくとも１つの状態選択に応じて、デジタルマップ上におけるノードの表示有無を設定できるようにするウインドウを含むことができる。例えば、図１０の（ａ）のように、表示された画面でオン（ＯＮ）項目が選択されると（オン状態が選択されると）、端末装置は、現在サーバで管理するノードの街灯ランプのうちオンとなっている街灯ランプの該当ノードのみをデジタルマップ上に表示することができる。また、図１０の（ａ）のように、表示された画面でオフ（ＯＦＦ）項目が選択されると（オフ状態が選択されると）、端末装置は、現在サーバで管理するノードの街灯ランプのうちオフとなっている街灯ランプの該当ノードのみをデジタルマップ上に表示することができる。また、図１０の（ａ）のように、表示された画面でエラー（ＥＲＲＯＲ）項目が選択されると（エラー状態が選択されると）、端末装置は、現在サーバで管理するノードのうちエラーが発生したノードのみをデジタルマップ上に表示することができる。
【００４７】
また、図１０の（ｂ）を参照すると、ユーザの操作による街灯ランプのディミング値の設定に応じて、デジタルマップ上におけるノードの表示有無を設定できるようにするウインドウを含むことができる。例えば、図１０の（ｂ）のように、ユーザの操作によって、表示された画面でディミング値が１００％と設定されると、端末装置は、現在サーバで管理するノードの街灯ランプのディミング値が１００％と設定されている該当ノードのみをデジタルマップ上に表示することができる。
【００４８】
また、図１０の（ｃ）を参照すると、ユーザの操作による、ノードの制御モード設定情報で指定された時間に街灯ランプをオンまたはオフするモード、指定された時間帯毎に街灯ランプをオンまたはオフするモード、及び指定された時間における街灯ランプのディミング値を調整するモードの少なくとも１つのモードの選択に応じて、街灯の表示有無を設定できるようにするウインドウを含むことができる。
【００４９】
前記アラーム及び障害リストウインドウ５１３は、受信されたゲートウェイまたはノード（街灯）のアラーム及び障害情報を表示することができ、アラーム情報と障害情報を区分して表示できるウインドウである。アラーム及び障害リストウインドウ５１３は、図１１の（ａ）のように、全体アラーム数（アラームリスト数）が表示されたアラームリスト表示ウインドウ、図１１の（ｂ）のように、全体障害数（障害リスト数）が表示された障害リスト表示ウインドウを含む。端末装置は、指定された条件に応じて、アラームリスト表示ウインドウまたは障害リスト表示ウインドウ（例えば、デフォルトで設定されたウインドウ）を画面に表示することができる。また、端末装置は、ユーザの操作に応じて、選択されたアラームリスト表示ウインドウまたは障害リスト表示ウインドウを表示することができる。
【００５０】
図１１の（ａ）を参照すると、アラームリスト表示ウインドウは、アラームリストとアラームリスト数を含んでおり、アラームリストには、ゲートウェイとノードを区分できるように、タイプ項目が含まれることができる。また、それぞれのアラームリストにはチェックボックスが設けられており、チェックボックスが選択されると、端末装置は、アラームを解除できるＵＩ（Ｕｓｅｒ  Ｉｎｔｅｒｆａｃｅ）を提供（表示）することができる。
【００５１】
図１１の（ｂ）を参照すると、障害リスト表示ウインドウは、障害リストと障害リスト数を含んでおり、障害リストには、ゲートウェイとノードを区分できるように、タイプ項目が含まれることができる。また、それぞれの障害リストには障害処理進行ボタンが設けられており、障害処理進行ボタンが選択されると、端末装置は、図１２のような該当障害の処理情報を記録するウインドウ（ＵＩともいう）を表示することができる。例えば、ユーザの操作によって、障害リスト表示ウインドウで特定ノードの障害処理進行ボタンが選択されると、端末装置は、図１２のように、ノードの情報を表示すると同時に、修理情報（障害処理情報）を記録するウインドウを表示することができる。
【００５２】
前記電力使用量情報ウインドウ５１５は、一日の電力使用量情報を表示することができるウインドウである。電力使用量情報ウインドウ５１５は、例えば、図１３のように、一日電力使用量、一日電力使用量のチャート、電力使用量の最高時間帯（ｐｅａｋ  ｈｏｕｒ）、最高電力使用量（ｐｅａｋ  ｕｓａｇｅ）、平均電力使用量（ａｖｅｒａｇｅ）、及び累積電力使用量（ｃｕｍｕｌａｔｉｖｅ）の少なくとも１つを含むことができる。
【００５３】
前記制御リストウインドウ５１７は、ノードを制御するための制御要請が発生して該当制御が実行された時に、それをユーザが確認できるように制御リストを表示することができるウインドウである。制御リストウインドウ５１７は、例えば、図１４のような形態であることができ、制御リストは、指定された優先順位に従って表示されることができる。
【００５４】
制御リストウインドウ５１７は、システムの指定されたスケジュールに従って実行された制御を表示することができ、また、ユーザの操作によって実行された制御を表示することができるウインドウである。また、システムの制御とユーザの制御との間の優先順位は、ユーザの制御を優先として表示するようにすることができる。また、制御リスト毎に制御リストの表示をキャンセル（終了）するボタンを含むことができ、最大に表示できる制御リスト数を指定することができる。
【００５５】
デジタルマップ５０１に表示されたゲートウェイの情報を含むウインドウ５１９は、例えば、図１５のような形態であることができ、前記ゲートウェイの情報は、ゲートウェイの名前（ｎａｍｅ）、前記ゲートウェイのＭＡＣアドレス（ＭＡＣ  Ａｄｄｒｅｓｓ）（ｃｏｄｅ）、前記ゲートウェイのＩＰアドレス（ＩＰ  Ａｄｄｒｅｓｓ）（ＩＰ）、前記ゲートウェイと通信する全体ノード、すなわち、ノードの街灯ランプの平均ディミング情報（Ｄｉｍｍｉｎｇ（ＡＶＧ））、前記ゲートウェイの管理者の電話番号（Ｐｈｏｎｅ  ｎｕｍｂｅｒ）、前記ゲートウェイの位置情報（例えば、緯度及び経度）（Ｌａｔｉｔｕｄｅ、Ｌｏｎｇｉｔｕｄｅ）、前記ゲートウェイと通信する全体ノードの数、前記ゲートウェイと通信するノードのうち街灯ランプがオンとなっているノードの数、及び前記ゲートウェイと通信するノードのうち街灯ランプがオフとなっているノードの数の少なくとも１つの情報を含むことができる。
【００５６】
デジタルマップ５０１に表示されたノードの情報を含むウインドウは、例えば、図１６のような形態であることができ、ノードの情報は、ノードの名前（ｎａｍｅ）、ノードのＭＡＣアドレス（ＭＡＣ  Ａｄｄｒｅｓｓ）（Ｃｏｄｅ）、ノードの街灯ランプのオンまたはオフ状態を示すモード（Ｃｏｎｔｒｏｌ  Ｍｏｄｅ）、ノードの街灯ランプのディミング情報（Ｄｉｍｍｉｎｇ）、ノードの位置情報（例えば、緯度及び経度）（Ｌａｔｉｔｕｄｅ、Ｌｏｎｇｉｔｕｄｅ）の少なくとも１つを含むことができる。
【００５７】
図１７は、本発明の一実施形態によるツリー構造のウインドウで、ゲートウェイの制御のためのメニュー実行を示した図であり、図１８は、本発明の一実施形態によるツリー構造のウインドウで、ノードの制御のためのメニュー実行を示した図である。デジタルマップオプションウインドウにおけるツリー構造のウインドウで、端末装置は、ユーザの操作に応じて、図１７のようなゲートウェイを制御するためのメニューであるゲートウェイのコンテキストメニューを実行させて（活性化して）表示することができる。また、デジタルマップオプションウインドウにおけるツリー構造のウインドウで、端末装置は、ユーザの操作に応じて、図１８のようなノードを制御するためのメニューであるノードのコンテキストメニューを実行させて（活性化して）表示することができる。
【００５８】
ゲートウェイのコンテキストメニュー及びノードのコンテキストメニューは、ユーザの操作による、ゲートウェイ、通信チャンネル、及び／またはノードの選択により（チェックボックスのチェック表示により）活性化されることができる。例えば、ゲートウェイのコンテキストメニューは、ゲートウェイが選択された際に（チェックボックスがチェック表示された際に）活性化されることができ、ノードのコンテキストメニューは、ゲートウェイ、チャンネル、及びノードの全てが選択された際に（チェックボックスがチェック表示された際に）活性化されることができる。また、チェック表示されたチェックボックスに応じて、ゲートウェイのコンテキストメニューまたはノードのコンテキストメニューが実行（活性化）されることができる。例えば、ゲートウェイのチェックボックスのみがチェック表示された際に、コンテキストメニューを実行させるためのユーザの操作があると、端末装置はゲートウェイのコンテキストメニューを実行させることができる。また、ゲートウェイ、チャンネル、ノードの全てのチェックボックスがチェック表示された際に、コンテキストメニューを実行させるためのユーザの操作があると、端末装置はノードのコンテキストメニューを実行させることができる。ノードのコンテックスメニューに含まれたメニュー及びゲートウェイのコンテキストメニューに含まれたメニューについての詳細な説明は後述する。
【００５９】
図１９は、本発明の一実施形態によるデジタルマップでゲートウェイ及びノードを選択または選択解除するための方法を説明するための図であり、図２０は、本発明の他の実施形態によるデジタルマップでゲートウェイ及びノードを選択または選択解除するための方法を説明するための図である。本発明の実施形態によると、デジタルマップオプションウインドウのツリー構造のウインドウでのゲートウェイ、ノードの選択有無は、デジタルマップに表示されるゲートウェイ、ノードの選択有無と同期化されることができる。例えば、ユーザの操作によって、ツリー構造のウインドウに表示されたゲートウェイが選択されると、端末装置は、ゲートウェイをデジタルマップの対応する位置に表示することができる。また、ユーザの操作によって、ツリー構造のウインドウに表示された通信チャンネル及びノードが選択されると、端末装置は、ノードをデジタルマップの対応する位置に表示することができる。また、ツリー構造のウインドウで選択されたゲートウェイが選択解除されると、端末装置は、デジタルマップの対応する位置に表示されたゲートウェイの表示を終了することができる。また、ツリー構造のウインドウで選択されたノードが選択解除されると、端末装置は、デジタルマップの対応する位置に表示されたノードの表示を終了することができる。また、ユーザの操作によって、デジタルマップの対応する位置に表示されたノードの選択が解除（ノードの表示が解除）されると、デジタルマップにおけるノードの表示を終了すると同時に、ツリー構造のウインドウにノードが選択解除されたことを表示することができる。また、デジタルマップの対応する位置に表示されたゲートウェイの選択が解除（ゲートウェイの表示が解除）されると、デジタルマップにおけるゲートウェイ及びノードの表示を終了すると同時に、ツリー構造のウインドウにゲートウェイ及びノードが選択解除されたことを表示することができる。
【００６０】
ゲートウェイ、チャンネル、ノードのそれぞれを個別的に選択または選択解除する方法は、図１９を参照すると、ユーザがマウスクリック、タッチ入力などを行うことで、デジタルマップ上でゲートウェイ、チャンネル、ノードのそれぞれを選択または選択解除することができる。例えば、ユーザがキーボードとマウスを用いる場合、デジタルマップ上でゲートウェイ、チャンネル、ノードのそれぞれを選択及び選択解除する方法は、キーボードのＳｈｉｆｔを押している状態で、選択または選択解除するべきのゲートウェイまたはノードにマウスカーソルを当ててマウスの左ボタンをクリック（Ｓｈｉｆｔ＋Ｍｏｕｓｅ  Ｌｅｆｔ  Ｃｌｉｃｋ）することにより行われることができる。一方、デジタルマップでユーザの操作によって選択された特定ゲートウェイまたはノードが表示されると、ツリー構造のウインドウで前記特定ゲートウェイまたはノードが選択された状態（ゲートウェイまたはノードが選択されたことが表示された状態）であることができ、ユーザの操作によってデジタルマップで選択解除されたゲートウェイまたはノードの表示が終了されると、ツリー構造のウインドウにおける前記選択解除された該当ゲートウェイまたはノードが選択解除される（ゲートウェイまたはノードが選択解除されたことが表示された状態になる）ことができる。
【００６１】
ゲートウェイ、チャンネル、ノードをグループ化して選択または選択解除する方法は、図２０を参照すると、ユーザがマウスクリック、タッチ入力などによってデジタルマップ上にゲートウェイ、ノードが表示された領域を選択し、選択された領域に含まれた全てのゲートウェイ、ノードを選択または選択解除することができる。例えば、ユーザがキーボードとマウスを用いる場合、デジタルマップ上でゲートウェイ、ノードが表示された領域を選択する方法は、キーボードのＳｈｉｆｔを押している状態で、マウスでドラッグ（Ｓｈｉｆｔ＋Ｍｏｕｓｅ  Ｄｒａｇ）することで、デジタルマップ上にゲートウェイ、ノードが表示された領域を選択することができる。
【００６２】
図２１は、本発明の一実施形態によるデジタルマップでノードの制御のためのメニュー実行を示した図であり、図２２は、本発明の一実施形態によるデジタルマップでゲートウェイの制御のためのメニュー実行を示した図である。デジタルマップ上でユーザの操作によって、図２１のように、選択されたノード（またはノードら）または全体ノードを制御するためのメニューであるノードのコンテキストメニューを実行させて表示することができる。また、デジタルマップ上でユーザの操作によって、図２２のように、選択されたゲートウェイ（またはゲートウェイら）または全体ゲートウェイを制御するためのメニューであるゲートウェイのコンテキストメニューを実行させて表示することができる。
【００６３】
図２３は、本発明の一実施形態によるゲートウェイのコンテキストメニューのうち、名前再設定メニューを実行させる動作を説明するための図である。例えば、ユーザがマウスを用いる場合は、マウスクリックによってツリー構造のウインドウでゲートウェイが選択されると、端末装置は、チェックボックスにチェック表示をする。その後、ユーザがマウスの右ボタンをクリックすると、端末装置は、図２３の（ａ）のように、コンテキストメニューウインドウを活性化することができる。図２３の（ａ）のように、ユーザの操作によって、コンテキストメニューのうち名前再設定（Ｒｅｎａｍｅ）メニューが選択されると、端末装置は、図２３の（ｂ）のように、新しい名前を入力できるように表示し、表示された位置にユーザの操作によって新しい名前が入力されることができる。
【００６４】
図２４は、本発明の一実施形態によるゲートウェイのコンテキストメニューのうち、ラベル設定（Ｓｅｔ  Ｌａｂｅｌ）メニューを実行させる動作を説明するための図である。前記ラベル設定は、ゲートウェイの一部のゲートウェイを１つの論理的なグループとして生成するための設定であって、設定に応じて、１つまたは複数のグループが生成されることができる。
【００６５】
例えば、ユーザがマウスを用いる場合、ユーザの操作によって選択された１つ以上のゲートウェイのコンテキストメニューウインドウで、図２４の（ａ）のように、コンテキストメニューのうちラベル設定（Ｓｅｔ  Ｌａｂｅｌ）メニューが選択されると、端末装置は、図２４の（ｂ）のように、１つ以上のゲートウェイのグループを設定することができるウインドウを表示し、ユーザの操作によってラベル（Ｌａｂｅｌ）部分に設定グループ名が入力されると、端末装置は、１つ以上のゲートウェイのグループを設定（ラベルを設定）またはグループを変更（ラベルを変更）することができる。
【００６６】
図２５は、本発明の一実施形態によるゲートウェイのコンテキストメニューのうち、トポロジー（Ｔｏｐｏｌｏｇｙ）メニューを実行させる動作を説明するための図である。トポロジーメニューは、選択されたゲートウェイの下位ノードの関係が分かるように表示させたり、隠し処理するための設定メニューである。図２５を参照すると、ユーザの操作によって選択された１つ以上のゲートウェイのコンテキストメニューウインドウで、図２５の（ａ）のように、コンテキストメニューのうちトポロジー（Ｔｏｐｏｌｏｇｙ）メニューが選択されると、端末装置は、図２５の（ｂ）のように、１つ以上のゲートウェイの下位ノードを表示させたり、隠し処理するように設定できるウインドウを表示し、ユーザの操作によって、表示または隠し処理するように設定されると、端末装置は、該当ゲートウェイの下位ノードを表示または隠し処理することができる。
【００６７】
図２６は、本発明の一実施形態によるゲートウェイのコンテキストメニューのうち、ノードスキャン（Ｎｏｄｅ  Ｓｃａｎ）メニューを実行させる動作を説明するための図である。ノードスキャンメニューは、該当ゲートウェイの下位ノードの情報を獲得するための設定メニューである。図２６を参照すると、ユーザの操作によって選択された１つまたは複数のゲートウェイのコンテキストメニューウインドウで、図２６の（ａ）のように、コンテキストメニューのうちノードスキャン（Ｎｏｄｅ  Ｓｃａｎ）メニューが選択されると、端末装置は、図２６の（ｂ）のように、１つまたは複数のゲートウェイのスキャンタイプを設定または修正できるウインドウを表示することができる。前記スキャンタイプは、スタンダード（Ｓｔａｎｄａｒｄ）とクィック（Ｑｕｉｃｋ）を含むことができる。ユーザの操作によってスキャンタイプが設定または修正されると、端末装置は、該当スキャンタイプを反映して、前記１つまたは複数のゲートウェイから前記１つまたは複数のゲートウェイのそれぞれの下位ノードの情報を獲得することができる。この際、スタンダード（Ｓｔａｎｄａｒｄ）タイプは、チャンネル全体に対して無条件的なスキャンを行うことであり、クィック（Ｑｕｉｃｋ）タイプは、スタンダードスキャンによりａｃｋが行われたノードに対してのみスキャンを行うことである。
【００６８】
図２７は、本発明の他の実施形態によるゲートウェイのコンテキストメニューのうち、ノードスキャンメニューを実行させる動作を説明するための図である。図２７を参照すると、ユーザの操作によって選択された１つまたは複数のゲートウェイのコンテキストメニューの下位メニューとして、図２７の（ａ）のように、スタンダード（Ｓｔａｎｄａｒｄ）、クィック（Ｑｕｉｃｋ）、チャンネル（Ｃｈａｎｎｅｌ）メニューが含まれることができる。ユーザの操作によってチャンネルメニューが選択されると、端末装置は、図２７の（ｂ）のように、ノードスキャン対象となるチャンネルを選択するウインドウを表示することができ、ユーザの操作によって１つ以上のチャンネルが選択されると、端末装置は、選択されたチャンネルのノードスキャンを実行することができる。例えば、端末装置は、前記選択されたチャンネルと連結されたゲートウェイから、前記選択されたチャンネルと連結されたノードの情報を獲得することができる。
【００６９】
図２８は、本発明の一実施形態によるゲートウェイのコンテキストメニューのうち、ＲＴＣ時間設定／獲得（Ｓｅｔ／Ｇｅｔ  ＲＴＣ（Ｒｅａｌ  Ｔｉｍｅ  Ｃｌｏｃｋ）Ｔｉｍｅ）メニューを実行させる動作を説明するための図である。ユーザの操作によってＲＴＣ時間設定／獲得メニューが選択されると、図２８のように、ローカル時間の演算、時間を設定する画面を表示することができる。また、ユーザの操作によって、ゲートウェイからＲＴＣ時間を受信して端末装置の表示部に表示するように設定することができる。ユーザの操作によって、制御類型、ポストプロセッシング、ローカル時間、時間が設定されると、端末装置は、Ｕｓｅｒ  ｔｉｍｅ  ｍｏｄｅ、日の出／日の入スケジュリングなどの様々な設定を行うことができる。
【００７０】
図２９は、本発明の一実施形態によるゲートウェイのコンテキストメニューのうち、位置設定メニューを実行させる動作を説明するための図である。例えば、マウスを用いる場合、ユーザの操作によって、図２９の（ａ）のように、特定ゲートウェイのコンテキストメニューのうち位置設定（Ｓｅｔ  Ｐｏｓｉｔｉｏｎ）メニューが選択されると、図２９の（ｂ）のように、マウスのポインタが＋形態に変更され、ユーザがデジタルマップの所望の位置でマウスの左ボタンをクリックすると、端末装置は、クリックされた位置を前記特定ゲートウェイの位置と設定することができ、該当位置の位置情報（例えば、緯度及び経度情報）を獲得することができる。
【００７１】
一方、ゲートウェイのコンテキストメニューは位置獲得（Ｇｅｔ  Ｐｏｓｉｔｉｏｎ）メニューを含むことができ、ユーザの操作によって位置獲得メニューを実行した後、選択されたゲートウェイに予め格納された位置情報を獲得することができる。
【００７２】
図３０は、本発明の一実施形態によるゲートウェイのコンテキストメニューのうち、ディスコネクトメニューを実行させる動作を説明するための図である。ユーザの操作によって、図３０のように、特定ゲートウェイのコンテキストメニューのうちディスコネクト（ｄｉｓｃｏｎｎｅｃｔ）メニューが選択されると、端末装置は、サーバと特定ゲートウェイとのＴＣＰ連結を強制終了させることができる。一方、ディスコネクトメニューは、サーバとゲートウェイとがＴＣＰ連結されている状態でのみ活性化されることができる。
【００７３】
図３１は、本発明の一実施形態によるゲートウェイのコンテキストメニューのうち、リセットメニューを実行させる動作を説明するための図である。ユーザの操作によって、図３１の（ａ）のように、特定ゲートウェイのコンテキストメニューのうちリセット（Ｒｅｓｅｔ）メニューが選択されると、端末装置は、図３１の（ｂ）のように、リセット対象として選択された特定ゲートウェイ情報及び警告文を表示することができる。ユーザの操作によってリセット実行が選択されると、端末装置は特定ゲートウェイをリセットすることができる。
【００７４】
図３２は、本発明の一実施形態によるノードのコンテキストメニューのうち、ランプオンメニューを実行させる動作を説明するための図である。ユーザの操作によって、図３２のように、１つ以上のノードのコンテキストメニューのうちランプオンメニューが選択されると、端末装置は、ランプオンメニューの下位メニューである制御類型に関するメニューとして、ブロードキャスト（Ｂｒｏａｄｃａｓｔ）、リクエスト（Ｒｅｑｕｅｓｔ）、グルーピング（Ｇｒｏｕｐｉｎｇ）メニューを表示することができる。また、ブロードキャストメニューは、図３２の（ａ）に示されたように、下位メニューであるポストプロセッシング（Ｐｏｓｔ  Ｐｒｏｃｅｓｓｉｎｇ）に関するメニューとして、効果なし（Ｎｏ  Ｅｆｆｅｃｔ）、リクエスト（Ｒｅｑｕｅｓｔ）、グルーピング（Ｇｒｏｕｐｉｎｇ）メニューを含むことができる。前記効果なしは、前記１つ以上のノードを制御するための制御命令に対する対象ノードにａｃｋシグナルを要請しないことを意味し、リクエストは、前記１つ以上のノードを制御するための制御命令に対する対象ノードにａｃｋシグナルを要請することであり、グルーピングは、ユーザの操作によって複数のノードが選択される場合、該当複数のノードを一度に制御するか否かを確認することである。ユーザの操作によって、図３２の（ａ）のように、ランプオンメニューの下位メニューであるブロードキャストメニューが選択されると、端末装置は、図３２の（ｂ）のように、制御類型（Ｃｏｎｔｒｏｌ  Ｔｙｐｅ）、ポストプロセッシング（Ｐｏｓｔ  Ｐｒｏｃｅｓｓｉｎｇ）を選択するようにする画面を表示することができる。ユーザの操作によって処理オプション（制御類型及びポストプロセッシング）が選択されると、端末装置は該当オプションを該当ノードに適用させることができる。
【００７５】
一方、制御形態の１つである前記ブロードキャストは、ゲートウェイ、チャンネル単位のブロードキャストの要請が可能である時に進行されることができる。また、ブロードキャストで制御しても、要件を満たさないと、基本設定値（リクエストまたはグルーピング）に従って進行されることができ、後で処理メニューによる追加の制御が進行されることができる。
【００７６】
また、制御形態の１つである前記リクエストは、ゲートウェイ単位のリクエスト形態で進行されることができる。
【００７７】
また、制御形態の１つである前記グルーピングは、ゲートウェイ単位のグルーピング形態で進行されることができる。
【００７８】
また、制御形態によるポストプロセッシングは、制御要請の形態がブロードキャスティングである時に、ポストプロセッシングはリクエストまたはグルーピングであることができる。
【００７９】
一方、コンテキストメニューのうちランプオフメニューを実行させる動作は、上述のランプオンメニューを実行させる動作と同一である。
【００８０】
図３３は、本発明の一実施形態によるノードのコンテキストメニューのうち、ランプディミングメニューを実行させる動作を説明するための図である。ユーザの操作によって、図３３の（ａ）のように、１つ以上のノードのコンテキストメニューのうちランプディミング（Ｌａｍｐ  Ｄｉｍｍｉｎｇ）メニューが選択されると、端末装置は、ランプディミングメニューの下位メニューであるブロードキャスト、グルーピング、リクエストメニューを表示することができる。また、ブロードキャストメニューは、図３３の（ａ）に示されたように、下位メニューであるポストプロセッシングに関するメニューとして、効果なし、リクエスト、グルーピングメニューを含むことができる。ユーザの操作によって、図３３の（ａ）のように、ランプディミングメニューの下位メニューであるブロードキャストメニューが選択されると、端末装置は、図３３の（ｂ）のように、制御類型（Ｃｏｎｔｒｏｌ  Ｔｙｐｅ；制御形態ともいう）、ポストプロセッシング（Ｐｏｓｔ  Ｐｒｏｃｅｓｓｉｎｇ）を選択し、ディミング値（Ｃｏｎｔｒｏｌ  Ｖａｌｕｅ）を設定するようにする画面を表示することができる。ユーザの操作によって処理オプション（制御類型及びポストプロセッシング）が選択されると、端末装置は該当オプションを該当ノードに適用させることができる。
【００８１】
図３４は、本発明の一実施形態によるノードのコンテキストメニューのうち、ランプ制御モード設定メニューを実行させる動作を説明するための図である。ユーザの操作によって、図３４の（ａ）のように、１つ以上のノードのコンテキストメニューのうち制御モード設定（Ｓｅｔ  Ｃｏｎｔｒｏｌ  Ｍｏｄｅ）メニューが選択されると、端末装置は、制御モード設定メニューの下位メニューであるオン／オフ時間（ＯＮ／ＯＦＦ  Ｔｉｍｅ）、日の出／日の入（Ｓｕｎｒｉｓｅ／Ｓｕｎｓｅｔ）、ディミング時間（Ｔｉｍｅ  Ｄｉｍｍｉｎｇ）メニューを表示することができる。ユーザの操作によってオン／オフ時間メニューが選択されると、端末装置は、図３４の（ｂ）のように、オン／オフ時間メニューの下位メニューとして、ブロードキャスト、グルーピング、リクエストメニューを表示することができる。ユーザの操作によって、図３４の（ｂ）のように、グルーピングメニューが選択されると、端末装置は、指定された時間に前記１つ以上のノードの街灯ランプを同時にオン／オフするようにすることができる。
【００８２】
一方、前記オン／オフ時間メニューは、指定された時間に前記１つ以上のノードの街灯ランプのオン／オフを実行するものであり、前記日の出／日の入メニューは、指定された時間帯毎に前記１つ以上のノードの街灯ランプのオン／オフを実行するものであり、前記ディミング時間メニューは、指定された時間に前記１つ以上のノードの街灯ランプのディミングを実行するものである。
【００８３】
図３５は、本発明の一実施形態によるノードのコンテキストメニューのうち、ランプ制御モード獲得メニューを実行させる動作を説明するための図である。ユーザの操作によって図３５の制御モード獲得（Ｇｅｔ  Ｃｏｎｔｒｏｌ  Ｍｏｄｅ）が選択されると、端末装置は、制御モード、すなわち、ブロードキャストまたはリクエストであるか、また、ブロードキャストにおいて効果なし（Ｎｏ  ｅｆｆｅｃｔ）であるかまたはリクエストであるかを確認することができる。
【００８４】
図３６は、本発明の一実施形態によるノードのコンテキストメニューのうち、ユーザオン／オフ時間メニューを実行させる動作を説明するための図である。ユーザの操作によって、１つ以上のノードの街灯ランプのユーザオン／オフ時間（Ｕｓｅｒ  Ｏｎ／Ｏｆｆ  Ｔｉｍｅ）メニューが選択されると、図３６の（ａ）のように、端末装置は、ユーザオン／オフ時間メニューの下位メニューとして、ブロードキャスト、グルーピング、リクエストメニューを表示することができる。ユーザの操作によって、図３６の（ａ）のように、ユーザオン／オフ時間メニューが選択されると、端末装置は、図３６の（ｂ）のように、前記１つ以上のノードに対する制御類型、ポストプロセッシング、街灯ランプのオン時間、街灯ランプのオフ時間、及び街灯ランプのディミングを設定する画面を表示することができる。ユーザの操作によって前記１つ以上のノードに対する制御類型、ポストプロセッシング、街灯ランプのオン時間、街灯ランプのオフ時間、及び街灯ランプのディミングが設定されると、端末装置は、設定された事項を反映して、指定された時間に設定されたディミング値を適用して前記１つ以上のノードの街灯ランプをオンとし、指定された時間に前記１つ以上のノードの街灯ランプをオフとすることができる。
【００８５】
一方、キーボード及びマウスを用いる場合、デジタルマップで前記１つ以上のノードは、ユーザがキーボードのＣｔｒｌを押している状態で、マウスの左ボタンをクリックしたり、マウスをドラッグすることで選択することができる。
【００８６】
一方、ノードのコンテキストメニューは、日の出／日の入（Ｓｕｎｒｉｓｅ／Ｓｕｎｓｅｔ）メニューとディミング時間（Ｔｉｍｅ  Ｄｉｍｍｉｎｇ）メニューを含むことができ、前記日の出／日の入メニューは、指定された時間帯毎に、選択されたノードの街灯ランプをオンまたはオフするように設定するものであり、前記ディミング時間は、指定された時間のディミング値を設定し、指定された時間に選択されたノードの街灯ランプのディミング値を変更するようにするものである。
【００８７】
図３７は、本発明の一実施形態によるノードのコンテキストメニューのうち、ＲＴＣ時間設定／獲得（Ｓｅｔ／Ｇｅｔ  ＲＴＣ  Ｔｉｍｅ）メニューを実行させる動作を説明するための図である。ユーザの操作によって、図３７の（ａ）のようにＲＴＣ時間設定獲得が選択されると、下位メニューであるブロードキャスト、グルーピング、リクエストメニューが表示されることができ、ブロードキャストメニューが選択されると、ブロードキャストメニューの下位メニューとして、効果なし、リクエスト、グルーピングメニューが表示されることができる。ユーザの操作によって、図３７の（ａ）のようにブロードキャストメニューが選択されると、図３７の（ｂ）のように、制御類型、ポストプロセッシング、ローカル時間、時間を設定する画面を表示することができる。また、ユーザの操作によって、ゲートウェイからＲＴＣ時間を受信して端末装置の表示部に表示するように設定することができる。
【００８８】
図３８は、本発明の一実施形態によるノードのコンテキストメニューのうち、、位置設定メニューを実行させる動作を説明するための図である。図３８の位置設定（Ｓｅｔ  Ｐｏｓｉｔｉｏｎ）の動作は、上述の図２９のゲートウェイのコンテキストメニューの位置設定メニューを実行させる動作と同様であり、動作の実行によって、端末装置はデジタルマップ上にノードの位置を設定することができ、該当位置の位置情報を獲得することができる。
【００８９】
一方、ノードのコンテキストメニューは位置獲得（Ｇｅｔ  Ｐｏｓｉｔｉｏｎ）メニューを含むことができ、ユーザの操作によって位置獲得メニューを実行すると、選択されたノードの位置情報を獲得することができる。
【００９０】
図３９は、本発明の一実施形態によるノードのコンテキストメニューのうち、リセットメニューを実行させる動作を説明するための図である。図３９のリセット（Ｒｅｓｅｔ）メニューの実行によるリセット動作は、上述の図３１のゲートウェイのコンテキストメニューのリセットメニューを実行させる動作と同様であり、動作の実行によって、端末装置は選択されたノードをリセットすることができる。
【００９１】
図４０及び図４１は、本発明の様々な実施形態による管理及び統計のためのサブメニューのうち、リアルタイム現況項目の実行時に表示される画面を示した図である。
【００９２】
図４０を参照すると、ユーザの操作によってリアルタイム現況項目が実行された時に、ノードのリアルタイム電力使用量に関する情報が表示されることができる。図４０を参照すると、リアルタイム現況項目の実行時に、累積エネルギー（Ｃｕｍｕｌａｔｉｖｅ  ｅｎｅｒｇｙ）とノードエネルギートップ１０（Ｎｏｄｅ  ｅｎｅｒｇｙ  ＴＯＰ  １０）の項目に区分されて表示されることができる。前記累積エネルギーは、当日２４時間の電力使用量をチャートで表示したものであり、前記ノードエネルギートップ１０は、当日２４時間内において最大電力使用量を有する１０個のノードとともに該当電力使用量をチャートで表示したものである。例えば、マウスを用いる場合、前記累積エネルギー項目のチャートのラインにマウスのカーソルを当てると、端末装置が該当時間の電力使用量を表示することができる。また、累積エネルギー項目のピークタイム（Ｐｅａｋ  ｔｉｍｅ）は当日最大電力消費時間を意味し、ピークパワー（Ｐｅａｋ  ｐｏｗｅｒ）は当日最大電力消費量を意味し、平均（Ａｖｅｒａｇｅ）は当日平均電力消費量を意味し、累積エネルギー（Ｃｕｍｕｌａｔｉｖｅ  ｅｎｅｒｇｙ）は当日総累積電力量を意味する。また、例えば、マウスを用いて前記ノードエネルギートップ１０項目のバー部分にマウスのカーソルを当てると、端末装置が該当ノード名を表示することができる。
【００９３】
図４１を参照すると、ユーザの操作によってリアルタイム現況項目が実行された時に、サーバに格納された設備（ノードとゲートウェイと通信チャンネル）構成現況を表示することができる。図４１を参照すると、装備構成（Ｅｑｕｉｐｍｅｎｔ  ｃｏｎｆｉｇｕｒａｔｉｏｎ）、エラーが発生したゲートウェイ（Ｆａｉｌｅｄ  Ｇａｔｅｗａｙ）、及びゲートウェイ毎のエラーが発生したノード（Ｆａｉｌｅｄ  Ｎｏｄｅｓ  ｐｅｒ  Ｇａｔｅｗａｙｓ）の項目に区分されて表示されることができる。前記装備構成項目では、ゲートウェイの数だけのチャートのライン数が示されており、ｘ軸はチャンネルを示し、ｙ軸はノード数を示すことができる。また、前記エラーが発生したゲートウェイ及びゲートウェイ毎のエラーが発生したノード項目では、現在アラーム状態であるゲートウェイとノードのリストを表示することができる。
【００９４】
図４２〜図６８は、本発明の様々な実施形態による管理及び統計のためのサブメニュー５０５のうち、施設管理項目７０３を実行した時に表示される画面を示した図である。
【００９５】
図４２〜図６８を参照すると、ユーザの操作によって施設管理項目７０３が実行されると、ゲートウェイに関する情報、ノードに関する情報、メンテナンス（アフタサービス（Ａｆｔｅｒ  Ｓｅｒｖｉｃｅ））に関する情報、制御（制御ログ（Ｃｏｎｔｒｏｌ  Ｌｏｇ））に関する情報、アラーム（アラームログ（Ａｌａｒｍ  Ｌｏｇ））に関する情報、障害（失敗ログ（Ｆａｉｌｕｒｅ  Ｌｏｇ））に関する情報を確認、設定、変更することができる。
【００９６】
ユーザの操作によって施設管理７０３項目が実行された時に、図４２のようにゲートウェイリストウインドウが表示されることができる。
【００９７】
ゲートウェイリストウインドウでは、下記表１のアイテムに区分してゲートウェイリストを表示することができる。
【００９８】
【表１】
2017538312.tif 000003
【００９９】
また、ゲートウェイリストウインドウは、ゲートウェイリストを照会し、ゲートウェイ名またはゲートウェイのＭＡＣ  ＩＤでユーザが所望のゲートウェイのみを照会するようにすることができる。また、追加（Ａｄｄ）、削除（Ｄｅｌｅｔｅ）、修理明細（Ｒｅｐａｉｒ  Ｄｅｔａｉｌ）、接続履歴（Ｃｏｎｎｅｃｔｉｏｎ  Ｉｎｆｏ）、ラベルを生成（ｓｅｔ  Ｌａｂｅｌ）できるメニューを含むことができる。また、ユーザがマウスを用いて、ゲートウェイリストのうち青色で太く表示されたゲートウェイ名をクリックすると、該当ゲートウェイの詳細情報を確認することができ、ノードをクリックすると、該当ゲートウェイに連結された下位ノードリストに移動することができる。
【０１００】
また、ゲートウェイリストウインドウは、ゲートウェイを登録することができる追加（Ａｄｄ）メニューを含み、ユーザの操作によって追加メニューが選択されると、端末装置は、図４３のように、ゲートウェイの登録のための画面を表示することができる。図４３のゲートウェイの登録のための画面は、ゲートウェイを管理する管理者の電話番号を入力するようにし、ゲートウェイ名を入力するようにする項目を含むことができる。
【０１０１】
また、上述のゲートウェイの詳細情報を確認するためのユーザの操作に応じて、端末装置は、図４４のようなゲートウェイの詳細情報を確認できるウインドウを表示することができる。
【０１０２】
ゲートウェイの詳細情報を確認できるウインドウは、下記表２のアイテムに区分してゲートウェイの詳細情報を表示することができる。
【０１０３】
【表２】
2017538312.tif 000004
【０１０４】
また、ゲートウェイの詳細情報を確認できるウインドウは、ゲートウェイの様々な情報を獲得（Ｇｅｔ）する画面を表示することができる。また、ゲートウェイの詳細情報を確認できるウインドウは、ゲートウェイリセット（Ｇａｔｅｗａｙ  Ｒｅｓｅｔ）、ゲートウェイ情報獲得（ｇｅｔ  Ｇａｔｅｗａｙ  Ｉｎｆｏｒｍａｔｉｏｎ）、ゲートウェイ装置データ獲得（Ｇｅｔ  Ｇａｔｅｗａｙ  Ｄｅｖｉｃｅ  Ｄａｔａ）、ゲートウェイ状態獲得（Ｇｅｔ  Ｇａｔｅｗａｙ  Ｓｔａｔｕｓ）、ゲートウェイＲＴＣ時間獲得（Ｇｅｔ  ＧａｔｅｗａｙＲＴＣ  Ｔｉｍｅ）を要請するメニューを含むことができる。
【０１０５】
ユーザの操作によって、図４４の設定（ｓｅｔ）メニューが選択されると、端末装置は、図４５のようなゲートウェイ詳細情報を設定する画面を表示することができる。ゲートウェイ詳細情報を設定する画面は、表３のようなアイテムに区分してゲートウェイ詳細情報を設定する画面を表示することができる。
【０１０６】
【表３】
2017538312.tif 000005
【０１０７】
また、ゲートウェイ詳細情報を設定する画面は、ゲートウェイ装置データ設定（Ｓｅｔ  Ｇａｔｅｗａｙ  Ｄｅｖｉｃｅ  Ｄａｔａ）、ゲートウェイＲＴＣ時間設定（Ｓｅｔ  Ｇａｔｅｗａｙ  ＲＴＣ  Ｔｉｍｅ）に区分されて表示されることができる。
【０１０８】
ユーザの操作によって、図４２のゲートウェイリストウインドウで修理明細（Ｒｅｐａｉｒ  Ｄｅｔａｉｌ）メニューが選択されると、端末装置は、図４６のような修理明細ウインドウを表示することができる。
【０１０９】
修理明細ウインドウは、下記表４のアイテムに区分して修理明細リストを表示することができる。
【０１１０】
【表４】
2017538312.tif 000006
【０１１１】
また、修理明細ウインドウは、修理獲得（Ｇｅｔ  Ｒｅｐａｉｒ）命令を伝送することができるメニューを含むことができる。
【０１１２】
ユーザの操作によって、図４２のゲートウェイリストウインドウで接続履歴（Ｃｏｎｎｅｃｔｉｏｎ  Ｉｎｆｏ）が選択されると、端末装置は、図４７のように、ゲートウェイの接続履歴情報を表示するゲートウェイ接続履歴ウインドウを表示することができる。ゲートウェイ接続履歴ウインドウは、ゲートウェイの連結時間、連結有無（連結または連結解除）を表示することができる。
【０１１３】
ユーザの操作によって、図４２のゲートウェイリストウインドウでラベル生成（ｓｅｔ  Ｌａｂｅｌ）メニューが選択されると、端末装置は、図４８のように、ゲートウェイのラベルを生成するゲートウェイラベル生成ウインドウを表示することができる。
ユーザの操作によって、図４２のゲートウェイリストウインドウでリスト項目の１つが選択された後、削除（Ｄｅｌｅｔｅ）メニューが選択されると、端末装置は、図４９のように、ゲートウェイの削除を確認するメッセージを表示することができる。ユーザの操作によって、前記メッセージの削除を確認するメニューが選択されると、端末装置は該当ゲートウェイを削除することができる。
【０１１４】
ユーザの操作によって施設管理項目が実行された時に、図５０のようにノードリストウインドウが表示されることができる。ノードリストウインドウは、表５のようなアイテムに区分してノードリストを表示することができる。
【０１１５】
【表５】
2017538312.tif 000007
【０１１６】
ノードリストウインドウは、左側にツリー構造のウインドウを表示することができ、ツリー構造のウインドウで何れか１つのゲートウェイが選択されると、選択されたゲートウェイの下位ノードのリストを表示することができる。また、検索によりユーザが所望のノード名を検索することができ、オン、オフモード毎にノードを表示することができる。また、上端には、ノード削除（Ｄｅｌｅｔｅ  Ｎｏｄｅ）、トポロジー獲得（Ｇｅｔ  Ｔｏｐｏｌｏｇｙ）（またはノード状態獲得（Ｇｅｔ  Ｎｏｄｅ  Ｓｔａｔｕｓ）、電力使用量獲得（電力消費獲得（Ｇｅｔ  ＰＷ  Ｃｏｎｓｕｍｐｔｉｏｎ））メニューを含むことができ、上述のメニューを選択して該当命令をサーバに伝送することができる。また、上端に制御モード（Ｃｏｎｔｒｏｌ  Ｍｏｄｅ）メニューを含むことができ、制御モードメニューを選択して、制御モードを設定できるウインドウを表示することができる。
【０１１７】
図５０のノードリストウインドウでノードリストの詳細情報を表示するためのユーザの操作に応じて、端末装置は、図５１のようなノードの詳細情報を表示するノードの詳細情報ウインドウを表示することができる。ノードの詳細情報ウインドウは、表６のアイテムに区分してノードの詳細情報を表示することができる。
【０１１８】
【表６】
2017538312.tif 000008
【０１１９】
ノードの詳細情報ウインドウは、ノードの様々な情報を獲得する画面で構成されることができる。また、ノードの詳細情報ウインドウでのユーザの操作によって、ノードリセット（Ｎｏｄｅ  Ｒｅｓｅｔ）、全てのノード獲得（Ｇｅｔ  Ａｌｌ）、ノード情報獲得（Ｇｅｔ  Ｌａｍｐ  Ｉｎｆｏｒｍａｔｉｏｎ）、ノード装置データ獲得（Ｇｅｔ  Ｎｏｄｅ  Ｄｅｖｉｃｅ  Ｄａｔａ）、ノード状態獲得（Ｇｅｔ  Ｎｏｄｅ  Ｓｔａｔｕｓ）、ディミング獲得（Ｇｅｔ  Ｄｉｍｍｉｎｇ）、ジグビーＭＡＣ獲得（Ｇｅｔ  Ｚｉｇｂｅｅ  Ｍａｃ）、ノードＲＴＣ時間獲得（Ｇｅｔ  Ｎｏｄｅ  ＲＴＣ  Ｔｉｍｅ）を要請することができる。
【０１２０】
ユーザの操作によって、図５１のノードの詳細情報ウインドウで設定メニューが選択されると、端末装置は、図５２のように、ノードの詳細情報を設定するウインドウを表示することができる。ノードの詳細情報を設定するウインドウは、表７のアイテムに区分してノードの詳細情報を設定するように表示することができる。
【０１２１】
【表７】
2017538312.tif 000009
【０１２２】
ノードの詳細情報を設定するウインドウでのユーザの操作に応じて、端末装置は、ノード装置データ設定（Ｓｅｔ  Ｎｏｄｅ  Ｄｅｖｉｃｅ  Ｄａｔａ）、ノードＲＴＣ  Ｔｉｍｅ  設定（Ｓｅｔ  ＮｏｄｅＲＴＣ  Ｔｉｍｅ）、ノードディミング設定（Ｓｅｔ  Ｄｉｍｍｉｎｇ）を実行することができる。
【０１２３】
ユーザの操作によって、図５０のノードリストウインドウで制御モードメニューが選択されると、端末装置は、図５３、図５４、図５５のように、ノードの制御モードを設定するウインドウを表示することができる。
【０１２４】
制御モードは、図５３のように、指定された時間にノードをオン／オフするモード（Ｏｎ／Ｏｆｆ）、図５４のように、指定された時間帯毎にノードをオン／オフするモード（Ｓｕｎｓｅｔ／Ｓｕｎｒｉｓｅ）、及び指定された時間におけるノードのディミング値を調整するモード（Ｔｉｍｅ  Ｄｉｍｍｉｎｇ）に区分して表示されることができる。
【０１２５】
図５３を参照すると、指定された時間にノードをオン／オフするモードのウインドウは、表８のアイテムに区分して表示することができる。
【０１２６】
【表８】
2017538312.tif 000010
【０１２７】
指定された時間にノードをオン／オフするモードのウインドウは、ユーザが所望のノードを選択した後、制御類型、ポストプロセッシングを設定し、ノードをオンさせる時間、ノードをオフさせる時間、及びノードのディミングを設定することができるウインドウであることができる。また、ユーザの操作に応じて、端末装置が、表８のアイテム（ｉｔｅｍ）項目に対応する情報設定、表８のアイテム項目に対応する情報獲得命令を該当ノードに伝送することができる。
【０１２８】
図５４を参照すると、指定された時間帯毎にノードをオンまたはオフするモードのウインドウは、表９のアイテムに区分して表示することができる。
【０１２９】
【表９】
2017538312.tif 000011
【０１３０】
また、指定された時間帯毎にノードをオンまたはオフするモードのウインドウは、指定された時間帯、例えば、図５４のように日の出、日の入の時間を設定する画面を表示することができる。また、ユーザの操作に応じて、端末装置が、表９のアイテムに対応する情報設定、表９のアイテムに対応する情報獲得命令を該当ノードに伝送することができる。
【０１３１】
図５５を参照すると、指定された時間におけるノードのディミング値を調整するモードのウインドウは、表１０の項目を含むことができる。
【０１３２】
【表１０】
2017538312.tif 000012
【０１３３】
また、指定された時間におけるノードのディミング値を調整するモードのウインドウは、時間毎にノードのディミング値を設定する画面を表示することができる。また、ユーザの操作に応じて、端末装置が、表１０のアイテムに対応する情報設定、表１０のアイテムに対応する情報獲得命令を該当ノードに伝送することができる。
【０１３４】
ユーザの操作によって、図５０のノードリストウインドウでリスト項目の１つが選択された後、削除（Ｄｅｌｅｔｅ）メニューが選択されると、端末装置は、図５６のように、ノードの削除を確認するメッセージを表示することができる。ユーザの操作によって、前記メッセージの削除を確認するメニューが選択されると、端末装置は、該当ノード、すなわち、街灯を管理対象から削除することができる。
【０１３５】
ユーザの操作によって施設管理７０３項目が実行された時に、図５７のように、メンテナンスウインドウが表示されることができる。メンテナンスウインドウは、ゲートウェイまたはノードのメンテナンスリストを表示するウインドウであり、表１１のアイテムに区分してノードのメンテナンスリストを表示することができる。また、メンテナンスウインドウは、メンテナンスリストを削除することができる削除メニューを含むことができる。
【０１３６】
【表１１】
2017538312.tif 000013
【０１３７】
メンテナンスウインドウにおける何れか１つのリストの詳細情報を確認するためのユーザの操作に応じて、端末装置は、図５８または図５９のように、該当リストのメンテナンスの詳細情報を確認できるウインドウを表示することができる。詳細情報を確認できるウインドウは、表１２のアイテムに区分して該当リストのメンテナンスの詳細情報を表示することができる。
【０１３８】
【表１２】
2017538312.tif 000014
【０１３９】
また、メンテナンスの詳細情報を確認できるウインドウは、例えば、該当リストの装備がゲートウェイである場合には、図５８のようにゲートウェイＩＤ、ゲートウェイ名を表示し、ノードである場合には、図５９のようにノードＩＤ、ノード名を表示することができる。
【０１４０】
ユーザの操作によって、メンテナンスの詳細情報を確認できるウインドウで設定メニューが選択されると、端末装置は、図６０のように、メンテナンス情報を修正できるウインドウを表示することができる。メンテナンス情報を修正できるウインドウは、基本情報として、装備（例えば、ノード）ＩＤ、装備名、障害名、障害発生日を表示することができ、基本情報は修正が不可能な情報であることができる。また、メンテナンス情報を修正できるウインドウは、予想作業日、実際作業日、作業担当者、修理有無、作業内容を表示することができ、メンテナンス情報を修正できるウインドウの予想作業日、実際作業日、作業担当者、修理有無、作業内容は、入力及び修正が可能な情報であることができる。
【０１４１】
ユーザの操作によって、図５７のメンテナンスウインドウでメンテナンスリストの少なくとも１つが選択された後、削除（Ｄｅｌｅｔｅ）メニューが選択されると、端末装置は、図６１のように、該当リストの削除を確認するメッセージを表示することができる。ユーザの操作によって、前記該当リストの削除を確認するメニューが選択されると、端末装置は該当リストを削除することができる。
【０１４２】
ユーザの操作によって施設管理７０３項目が実行された時に、図６２のように、制御リストウインドウ（制御ログウインドウ）が表示されることができる。制御リストウインドウは、ユーザが制御したリストを確認するウインドウである。制御リストウインドウは、上端のゲートウェイ名（Ｇａｔｅｗａｙ  Ｎａｍｅ）、結果メッセージ（Ｒｅｓｕｌｔ  Ｍｅｓｓａｇｅ）、チャンネルＩＤ（Ｃｈ  ＩＤ）、ノード名（Ｎｏｄｅ  Ｎａｍｅ）、制御動作（Ｃｏｎｔｒｏｌ  Ａｃｔｉｏｎ）、制御モード（Ｃｏｎｔｒｏｌ  Ｍｏｄｅ）、制御形態（Ｃｏｎｔｒｏｌ  Ｆｏｒｍ）、管理ＩＤ（Ａｄｍｉｎ  ＩＤ）項目のうち１つを用いて所望の情報のみを検索できる方法があり、上述の項目は、自動補完機能を採用していて、検索語の一字のみを入力すると、該当のデータリストが表示されることができる。また、制御した日付で検索することもできる。また、検索ボックスの検索語欄を初期化しようとする際には、上端右側のリセット（Ｒｅｓｅｔ）メニューをクリックすると初期化することができる。そして、制御リストを削除できる削除（Ｄｅｌｅｔｅ）メニューを含むことができる。また、ユーザの操作によって制御日（Ｄａｔｅ  ｏｆ  ｏｃｃｕｒｒｅｎｃｅ）が選択されると、端末装置は、図６３のような該当制御命令語情報を表示するウインドウを表示することができる。また、制御リストウインドウの下端のＴｏｄａｙは、今日の総制御件数を示し、Ｎｏｒｍａｌは正常な制御件数、Ｅｒｒｏｒは制御失敗件数を示す。また、制御リストウインドウは、表１３のアイテムに区分して表示することができる。
【０１４３】
【表１３】
2017538312.tif 000015
【０１４４】
ユーザの操作によって、図６２の制御リストウインドウで制御リストの少なくとも１つが選択された後、削除（Ｄｅｌｅｔｅ）メニューが選択されると、端末装置は、図６４のように、該当リストの削除を確認するメッセージを表示することができる。ユーザの操作によって、前記該当リストの削除を確認するメニューが選択されると、端末装置は該当リストを削除することができる。
【０１４５】
ユーザの操作によって施設管理項目が実行された時に、図６５のように、アラームリストウインドウ（アラームログウインドウ）が表示されることができる。アラームリストウインドウは、アラームリストを確認するウインドウであり、表１４のアイテムに区分して表示することができる。
【０１４６】
【表１４】
2017538312.tif 000016
【０１４７】
また、アラームリストウインドウは、上端のアラーム名（Ａｌａｒｍ  ｎａｍｅ）、ゲートウェイ名（Ｇａｔｅｗａｙ  ｎａｍｅ）、チャンネルＩＤ（Ｃｈ  ＩＤ）、ノード名（Ｎｏｄｅ  ｎａｍｅ）、アラームオフ（Ａｌａｒｍ  Ｏｆｆ）、管理者ＩＤ（Ａｄｍｉｎ  ＩＤ）項目の１つを用いて所望の情報のみを検索する方法があり、上述の項目は、自動補完機能を採用していて、検索語の一字のみを入力すると、該当のアラームリストが表示されることができる。また、アラームが発生した日付で検索することもできる。また、検索ボックスの検索語欄を初期化しようとする際には、上端右側のリセット（Ｒｅｓｅｔ）メニューをクリックすると初期化することができる。そして、アラームリストを削除できる削除（Ｄｅｌｅｔｅ）メニューを含むことができる。また、アラームリストウインドウの下端のＴｏｄａｙは、今日の総アラーム件数を示し、Ａｌａｒｍ  Ｏｆｆはアラーム発生に対する措置件数を示す。
【０１４８】
ユーザの操作によって、図６５のアラームリストウインドウでアラームリストの少なくとも１つが選択された後、削除（Ｄｅｌｅｔｅ）メニューが選択されると、端末装置は、図６６のように、該当リストの削除を確認するメッセージを表示することができる。ユーザの操作によって、前記該当リストの削除を確認するメニューが選択されると、端末装置は該当リストを削除することができる。
【０１４９】
ユーザの操作によって施設管理項目が実行された時に、図６７のように、障害リストウインドウ（障害ログウインドウ）が表示されることができる。障害リストウインドウは、障害リストを確認するウインドウであり、表１５のアイテムに区分して表示することができる。
【０１５０】
【表１５】
2017538312.tif 000017
【０１５１】
また、障害リストウインドウは、上端の障害名（Ｆａｉｌｕｒｅ  ｎａｍｅ）、ゲートウェイ名（Ｇａｔｅｗａｙ  ｎａｍｅ）、チャンネルＩＤ（Ｃｈ  ＩＤ）、ノード名（Ｎｏｄｅ  ｎａｍｅ）、修理状態（Ｒｅｐａｉｒ  Ｓｔａｔｕｓ）、修理者（Ｒｅｐａｉｒ  ｍａｎ）項目の１つを用いて所望の情報のみを検索することができる方法があり、上述の項目は、自動補完機能を採用していて、検索語の一字のみを入力すると、該当の障害リストが表示されることができる。また、障害が発生した日付で検索することもできる。また、検索ボックスの検索語欄を初期化しようとする際には、上端右側のリセット（Ｒｅｓｅｔ）メニューをクリックすると初期化することができる。そして、障害リストを削除できる削除（Ｄｅｌｅｔｅ）メニューを含むことができる。また、障害リストウインドウの下端のＴｏｄａｙは、今日の総障害件数を示し、Ｃｏｍｐｌｅｔｅは障害に対する措置件数を示す。
【０１５２】
ユーザの操作によって、図６７の障害リストウインドウで障害リストの少なくとも１つが選択された後、削除（Ｄｅｌｅｔｅ）メニューが選択されると、端末装置は、図６８のように、該当リストの削除を確認するメッセージを表示することができる。ユーザの操作によって、前記該当リストの削除を確認するメニューが選択されると、端末装置は該当リストを削除することができる。
【０１５３】
図６９〜図８１は、本発明の様々な実施形態による管理及び統計のためのサブメニュー５０５のうち、運営管理項目７０５の実行時に表示される画面を示した図である。
【０１５４】
ユーザの操作によって運営管理７０５項目が実行された時に、図６９のように、ユーザリストを表示するユーザリストウインドウが表示されることができる。ユーザリストウインドウは、表１６のアイテムに区分してユーザリストを表示することができる。
【０１５５】
【表１６】
2017538312.tif 000018
【０１５６】
また、ユーザリストウインドウは、ユーザの名前やＩＤで所望のユーザを検索することができる。また、上端右側には、ユーザを追加、削除できるメニューがある。また、ユーザの操作によってリストでユーザＩＤ（Ｕｓｅｒ  ＩＤ）が選択されると、端末装置は、該当ユーザの詳細情報を下端に表示することができる。ユーザリストウインドウのＴｏｄａｙ’ｓ  ｎｕｍｂｅｒ  ｏｆ  ｕｓｅｒは今日の接続者数であり、その右側には接続したユーザの権限が示される。
【０１５７】
ユーザの操作によって、図６９のユーザリストウインドウで追加（Ａｄｄ）メニューが選択されると、端末装置は、図７０のようにユーザを登録するウインドウを表示することができる。
【０１５８】
また、図６９のユーザリストウインドウにおけるユーザリストからユーザを選択し、選択されたユーザの詳細情報を表示するウインドウを実行させるためのユーザ操作が入力されると、端末装置は、図７１のようにユーザの詳細情報を確認するウインドウを表示することができる。
【０１５９】
また、図６９のユーザリストウインドウにおけるユーザリストからユーザを選択し、選択されたユーザの詳細情報を表示するウインドウを実行させるためのユーザ操作が入力されると、端末装置は、図７２のようにユーザをアップデートできるウインドウを表示することができる。
【０１６０】
ユーザの操作によって、図６９のユーザリストウインドウにおけるユーザリストの少なくとも１つが選択された後、削除（Ｄｅｌｅｔｅ）メニューが選択されると、端末装置は、図７３のように、該当リストの削除を確認するメッセージを表示することができる。ユーザの操作によって、前記該当リストの削除を確認するメニューが選択されると、端末装置は該当リストを削除することができる。
【０１６１】
ユーザの操作によって運営管理項目が実行された時に、図７４または図７５のように、ＳＭＳ障害（ＳＭＳ失敗）リストを表示するＳＭＳ障害リストウインドウが表示されることができる。ＳＭＳ障害リストウインドウは、表１７のアイテムに区分してＳＭＳ障害リストを表示することができる。ＳＭＳ障害リストウインドウは、障害が発生した時に、ＳＭＳを発送すべきの管理者リストを表示するウインドウである。
【０１６２】
【表１７】
2017538312.tif 000019
【０１６３】
表１７の項目である障害名（Ｆａｉｌｕｒｅ  Ｎａｍｅ）、承認（ｐｅｒｍｉｓｓｉｏｎ）、ＳＭＳ受信者ＩＤ（ＳＭＳ  ｒｅｃｅｉｖｅｒ  ＩＤ）を用いて該当条件毎に検索することができ、右側には、ＳＭＳを発送すべき管理者リストを削除できる削除（Ｄｅｌｅｔｅ）メニューを表示することができる。
【０１６４】
図７５を参照すると、ユーザの操作によって障害名（Ｆａｉｌｕｒｅ  Ｎａｍｅ）が選択されると、該当障害に対するＳＭＳ受信者設定情報を表示することができる。また、該当障害に対するＳＭＳを受信するべき管理者を権限毎に選択して設定することができる。また、ＳＭＳを受信するべき管理者を設定した情報は、障害リストウインドウで確認することができる。
【０１６５】
ユーザの操作によって、図７４のＳＭＳ障害リストでＳＭＳを発送すべき管理者リストの少なくとも１つが選択された後、ＳＭＳを発送すべき管理者リストを削除するための削除（Ｄｅｌｅｔｅ）メニューが選択されると、端末装置は、図７６のように、該当ＳＭＳを発送すべき管理者リストの削除を確認するメッセージを表示することができる。ユーザの操作によって、前記該当リストの削除を確認するメニューが選択されると、端末装置は、図７７のように、削除選択されたＳＭＳを発送すべき管理者リストからＳＭＳを発送すべき管理者権限と管理者ＩＤのみを削除することができる。
【０１６６】
ユーザの操作によって運営管理７０５項目が実行された時に、図７８のように、環境設定のための環境設定ウインドウが表示されることができる。環境設定ウインドウは、表１８のアイテムに区分して表示することができる。
【０１６７】
【表１８】
2017538312.tif 000020
【０１６８】
ユーザの操作によって運営管理７０５項目が実行された時に、図７９のように、ファームウエアアップグレードのためのファームウエアアップグレードウインドウが表示されることができる。ファームウエアアップグレードウインドウは、表１９の項目を含むことができる。
【０１６９】
【表１９】
2017538312.tif 000021
【０１７０】
また、ファームウエアアップグレードウインドウは左側にツリー構造のウインドウを含んでおり、左側のツリー構造のウインドウでゲートウェイまたはノードが選択されると、右側上端にファームウエアアップグレード日、ファイル名、バージョン、進行状態などの詳細情報が表示されることができる。ファームウエアアップグレードウインドウの中間部分の追加（Ａｄｄ）メニューが選択されると、端末装置は、詳細情報をテーブルにコピーしながらアップグレードを進行する装備（ノード、ゲートウェイ）をリストとして羅列することができる。この際、既存に追加されていた装備のカテゴリーと、追加される装備のカテゴリーが必ず同一であるべきであり、ゲートウェイまたはノードのオープンファイル（Ｏｐｅｎ  ｆｉｌｅｓ）メニューが選択されると、ユーザの端末装置にあるファームウエアファイルを選択してアップグレードを進行することができる。また、アップグレードの進行中にキャンセルしたい場合には、キャンセル（Ｃａｎｃｅｌ）メニューを選択してアップグレードをキャンセルすることができ、アップグレードが終了したファイルに対しては削除（Ｒｅｍｏｖｅ）メニューを選択して表示削除することができる。また、中間部分のリフレッシュ（Ｒｅｆｒｅｓｈ）メニューは、アップグレードの進行のためにテーブルに羅列された装備の状態を新たに確認できる機能であり、確認したくない場合、除去（Ｒｅｍｏｖｅ）メニューを選択すると電子装置がリストから削除されることもできる。
【０１７１】
ユーザの操作によって運営管理７０５項目が実行された時に、図８０のように、ユーザが接続した情報を示す接続リストウインドウ（接続ログ（Ａｃｃｅｓｓ  Ｌｏｇウインドウ）が表示されることができる。また、接続リストウインドウは、表２０のようなアイテムに区分して表示することができる。
【０１７２】
【表２０】
2017538312.tif 000022
【０１７３】
接続リストウインドウでは、管理者ＩＤ（Ａｄｍｉｎ  ＩＤ）や権限で情報を検索することができ、接続リストを削除できる削除（Ｄｅｌｅｔｅ）メニューが表示されることができる。また、接続リストのＣｏｎｔｒｏｌ  ｃｏｕｎｔをクリックすると、該当ログイン、ログアウト時間に該当ユーザがログインしていた間に該当ユーザが制御したリストに移動することができる。下端のＴｏｄａｙ’ｓ  ｎｕｍｂｅｒ  ｏｆ  ｃｏｎｎｅｃｔｉｏｎは、今日の接続件数を示す。
【０１７４】
ユーザの操作によって、図８０の接続リストウインドウで接続リストの少なくとも１つが選択された後、削除（Ｄｅｌｅｔｅ）メニューが選択されると、端末装置は、図８１のように、該当リストの削除を確認するメッセージを表示することができる。ユーザの操作によって、前記該当リストの削除を確認するメニューが選択されると、端末装置は該当リストを削除することができる。
【０１７５】
図８２〜図８５は、本発明の様々な実施形態による管理及び統計のためのサブメニュー５０５のうち、統計／報告書７０７項目の実行時に表示される画面を示した図である。
【０１７６】
ユーザの操作によって統計／報告書７０７項目が実行された時に、端末装置は、図８２のように、電力傾向をチャートとして表示するウインドウを表示することができる。また、統計／報告書７０７項目が実行された時に、図８３のように、制御命令をチャートとして表示するウインドウを表示することができる。また、統計／報告書７０７項目が実行された時に、図８４のように、アラームが発生した部分をチャートとして表示するウインドウを表示することができる。また、統計／報告書７０７項目が実行された時に、図８５のように、障害が発生した部分をチャートとして表示するウインドウを表示することができる。
【０１７７】
図８６〜図８９は、本発明の一実施形態によるスマートフォンなどのモバイル用端末装置（以下、モバイル装置ともいう）で実行できる街灯管理アプリケーションを示す図である。
【０１７８】
モバイル装置で街灯管理アプリケーションが実行されると、図８６のようなログイン画面が表示されることができる。最高管理者が登録した接続権限に従って、ユーザの操作によってＩＤ及びパスワードが入力されると、モバイル装置はログインを実行することができる。また、ログイン画面は、表２１のようなアイテムに区分して表示されることができる。
【０１７９】
【表２１】
2017538312.tif 000023
【０１８０】
ユーザがログインすると、モバイル装置は、図８７のように、メンテナンスメニューと設置メニューを選択できる画面を表示することができる。
【０１８１】
ユーザの操作によってメンテナンスメニューが選択されると、図８８の（ａ）のようなデジタルマップが画面に表示され、ユーザの操作によってＡ／Ｓ対象の特定ノードが選択されると、図８８の（ｂ）のような画面が表示されることができる。ユーザの操作によって、修正しようとするノードの情報をさらに入力（変更）した後、修正（Ｍｏｄｉｆｙ）メニューが選択されると、該当情報が変更適用されることができる。前記ノードの情報は、表２２のアイテムに区分して表示されることができる。
【０１８２】
【表２２】
2017538312.tif 000024
【０１８３】
選択したノードのＡ／Ｓ処理のために、ユーザがスケジュール（Ｓｃｈｄｅｕｌｅ）メニューを選択すると、図８８の（ｃ）のような画面が表示されることができる。図８８の（ｃ）のように、表２３のアイテムに区分された画面で、ユーザが画面に表示されたアイテムに関する情報を入力した後、修正ボタンを選択すると、該当情報が適用されることができる。
【０１８４】
【表２３】
2017538312.tif 000025
【０１８５】
一方、図８７のように、メンテナンスメニューと設置メニューを選択できる画面で、ユーザの操作によって設置が選択されると、ユーザが図８９のようなノードのバーコードを撮影し、モバイル装置が表２４に記載の情報を獲得して、サーバに獲得された情報を伝送することができる。
【０１８６】
【表２４】
2017538312.tif 000026
【０１８７】
一方、本発明の実施形態は、ハードウェア、ソフトウェア、またはハードウェアとソフトウェアを組み合わせた形態で実現可能であることが理解できるであろう。このような任意のソフトウェアは、例えば、削除可能または再記録可能の有無にかかわらず、ＲＯＭなどの格納装置のような不揮発性格納装置、または、例えば、ＲＡＭ、メモリチップ、装置、または集積回路などのメモリ、または、例えば、ＣＤ、ＤＶＤ、磁気ディスク、または磁気テープなどのような光学または磁気的に記録可能で、且つ機械（例えば、コンピュータ）で読み取り可能な格納媒体に格納されることができる。携帯端末内に含まれ得るメモリは、本発明の実施形態を実現する指示を含むプログラム、またはプログラムを格納するに適した機械で読み取り可能な格納媒体の一例であることが理解できるであろう。したがって、本発明は、本明細書の任意の請求項に記載の装置または方法を実現するためのコードを含むプログラム、及びこのようなプログラムを格納する機械で読み取り可能な格納媒体を含む。また、このようなプログラムは、有線または無線連結により伝達される通信信号などの任意の媒体を介して電子的に移送されることができ、本発明は、それと均等のものを適切に含む。
【図１】
2017538312.tif 000027
【図２】
2017538312.tif 000028
【図３】
2017538312.tif 000029
【図４】
2017538312.tif 000030
【図５】
2017538312.tif 000031
【図６】
2017538312.tif 000032
【図７】
2017538312.tif 000033
【図８】
2017538312.tif 000034
【図９】
2017538312.tif 000035
【図１０】
2017538312.tif 000036
【図１１】
2017538312.tif 000037
【図１２】
2017538312.tif 000038
【図１３】
2017538312.tif 000039
【図１４】
2017538312.tif 000040
【図１５】
2017538312.tif 000041
【図１６】
2017538312.tif 000042
【図１７】
2017538312.tif 000043
【図１８】
2017538312.tif 000044
【図１９】
2017538312.tif 000045
【図２０】
2017538312.tif 000046
【図２１】
2017538312.tif 000047
【図２２】
2017538312.tif 000048
【図２３】
2017538312.tif 000049
【図２４】
2017538312.tif 000050
【図２５】
2017538312.tif 000051
【図２６】
2017538312.tif 000052
【図２７】
2017538312.tif 000053
【図２８】
2017538312.tif 000054
【図２９】
2017538312.tif 000055
【図３０】
2017538312.tif 000056
【図３１】
2017538312.tif 000057
【図３２】
2017538312.tif 000058
【図３３】
2017538312.tif 000059
【図３４】
2017538312.tif 000060
【図３５】
2017538312.tif 000061
【図３６】
2017538312.tif 000062
【図３７】
2017538312.tif 000063
【図３８】
2017538312.tif 000064
【図３９】
2017538312.tif 000065
【図４０】
2017538312.tif 000066
【図４１】
2017538312.tif 000067
【図４２】
2017538312.tif 000068
【図４３】
2017538312.tif 000069
【図４４】
2017538312.tif 000070
【図４５】
2017538312.tif 000071
【図４６】
2017538312.tif 000072
【図４７】
2017538312.tif 000073
【図４８】
2017538312.tif 000074
【図４９】
2017538312.tif 000075
【図５０】
2017538312.tif 000076
【図５１】
2017538312.tif 000077
【図５２】
2017538312.tif 000078
【図５３】
2017538312.tif 000079
【図５４】
2017538312.tif 000080
【図５５】
2017538312.tif 000081
【図５６】
2017538312.tif 000082
【図５７】
2017538312.tif 000083
【図５８】
2017538312.tif 000084
【図５９】
2017538312.tif 000085
【図６０】
2017538312.tif 000086
【図６１】
2017538312.tif 000087
【図６２】
2017538312.tif 000088
【図６３】
2017538312.tif 000089
【図６４】
2017538312.tif 000090
【図６５】
2017538312.tif 000091
【図６６】
2017538312.tif 000092
【図６７】
2017538312.tif 000093
【図６８】
2017538312.tif 000094
【図６９】
2017538312.tif 000095
【図７０】
2017538312.tif 000096
【図７１】
2017538312.tif 000097
【図７２】
2017538312.tif 000098
【図７３】
2017538312.tif 000099
【図７４】
2017538312.tif 000100
【図７５】
2017538312.tif 000101
【図７６】
2017538312.tif 000102
【図７７】
2017538312.tif 000103
【図７８】
2017538312.tif 000104
【図７９】
2017538312.tif 000105
【図８０】
2017538312.tif 000106
【図８１】
2017538312.tif 000107
【図８２】
2017538312.tif 000108
【図８３】
2017538312.tif 000109
【図８４】
2017538312.tif 000110
【図８５】
2017538312.tif 000111
【図８６】
2017538312.tif 000112
【図８７】
2017538312.tif 000113
【図８８】
2017538312.tif 000114
【図８９】
2017538312.tif 000115
【国際調査報告】
2017538312.tif 000116
2017538312.tif 000117
2017538312.tif 000118
2017538312.tif 000119